(57)【要約】スモールデータ特性を有するユーザ装置ＵＥがセル再選択を実行する過程において、候補セルにスモールデータ処理能力の最適化をサポートするセルがあることを確定した場合、スモールデータ優先セル再選択原則情報に基づいてセル再選択を行うことを含む移動性最適化方法を開示する。ネットワーク側が、正常にセルに常駐する、スモールデータ特性を有するＵＥへモールデータ処理能力因子及び／又はネットワークがスモールデータ処理能力の最適化をサポートするかどうかの能力情報を含む再選択原則情報が含まれているセル再選択情報を提供することと、切り替えを実行する場合、スモールデータ特性を有するＵＥのために最適化されたスモールセル処理能力を有し且つ切り替え条件を満たすターゲット基地局を優先的に選択し、そして選択されたターゲット基地局へ切り替え要求メッセージを送信することとを含む別の移動性最適化方法を開示する。ユーザ装置とアクセスネットワーク装置を開示する。
2016517231.tif 000002
【特許請求の範囲】
【請求項１】
移動性最適化方法であって、
スモールデータ特性を有するユーザ装置（ＵＥ）は、セル再選択を実行する過程において、候補セルにスモールデータ処理能力の最適化をサポートするセルがあることを確定した場合、スモールデータ優先セル再選択原則情報に基づいてセル再選択を行うことを含む、前記移動性最適化方法。
【請求項２】
前記スモールデータ特性を有するＵＥは、
スモールデータ属性を有するように構成されるＵＥ、
スモールデータサービスのみをサポートするＵＥ、
スモールデータを受信または送信しようとするＵＥ、および
スモールデータを受信または送信しているＵＥのうちの一つを含むことを特徴とする
請求項１に記載の移動性最適化方法。
【請求項３】
前記スモールデータ優先セル再選択原則情報は、
スモールデータ特性を有するＵＥが正常にスモールデータ処理能力の最適化をサポートする現在のセルに常駐する場合、前記現在のセルの再選択優先順位が最も高いこと、
再選択条件を満たすセルが複数である場合、そのなかにスモールデータ処理能力の最適化をサポートする複数のセルが含まれると、スモールデータ処理能力の最適化をサポートするセルから再選択優先順位の最も高いセルおよび／またはセル配列レベルの最もよいセルを選択すること、
スモールデータ特性を有するＵＥがスモールデータ処理能力の最適化をサポートするセルのみから再選択優先順位の最も高いセルまたはセル配列レベルの最もよいセルを選択すること、
スモールデータ特性を有するＵＥが正常にスモールデータ処理能力の最適化をサポートする現在のセルに常駐する場合、スモールデータ処理能力の最適化をサポートしないセルを遅延して選択すること、および
スモールデータ特性を有するＵＥが正常にスモールデータ処理能力の最適化をサポートしない現在のセルに常駐する場合、スモールデータ処理能力の最適化をサポートするセルを加速して再選択することのうちの一つまたは多様な組み合わせを含むことを特徴とする
請求項１または２に記載の移動性最適化方法。
【請求項４】
前記スモールデータ処理能力の最適化をサポートしないセルを遅延して再選択することは、
連続した第一の所定時間内に、サービスセルのセル選択受信レベルとスモールデータ処理能力因子の和がサービスセルのセル選択受信レベル閾値より低く、且つ再選択優先順位の低いセルのセル選択受信レベルが優先順位の低いセルを再選択するセル選択受信レベル閾値より高く、同時にスモールデータ特性を有するＵＥが現在のセルに第二の所定時間以上常駐することを満たす場合、スモールデータ処理能力の最適化をサポートしない再選択優先順位の低いセルを再選択すること、
連続した第一の所定時間内に、サービスセルのセル選択品質とスモールデータ処理能力因子の和がサービスセルのセル選択品質閾値より低く、且つ再選択優先順位の低いセルのセル選択品質が優先順位の低いセルを再選択するセル選択品質閾値より高く、同時にスモールデータ特性を有するＵＥが現在のセルに第二の所定時間以上常駐することを満たす場合、スモールデータ処理能力の最適化をサポートしない再選択優先順位の低いセルを再選択すること、
連続した第一の所定時間内に、再選択優先順位の高いセルのセル選択受信レベルが優先順位の高いセルを再選択するセル選択受信レベル閾値より高く、同時にスモールデータ特性を有するＵＥが現在のセルに第二の所定時間以上常駐することを満たす場合、スモールデータ処理能力の最適化をサポートしない再選択優先順位の高いセルを再選択すること、
連続した第一の所定時間内に、再選択優先順位の高いセルのセル選択品質が優先順位の高いセルを再選択するセル選択品質閾値より高く、同時にスモールデータ特性を有するＵＥが現在のセルに第二の所定時間以上常駐することを満たす場合、スモールデータ処理能力の最適化をサポートしない再選択優先順位の高いセルを再選択すること、
連続した第一の所定時間内に、中心周波数がサービスセルと異なるが、再選択優先順位が同じであるセルは、そのセル配列レベルがサービスセル配列レベルとスモールデータ処理能力因子の和より高く、同時にスモールデータ特性を有するＵＥが現在のセルに第二の所定時間以上常駐することを満たす場合、中心周波数が異なるが、再選択優先順位が同じであり、且つスモールデータ処理能力の最適化をサポートしないセルを再選択すること、および
連続した第一の所定時間内に、中心周波数がサービスセルと同じであるセルは、そのセル配列レベルがサービスセル配列レベルとスモールデータ処理能力因子の和より高く、同時にスモールデータ特性を有するＵＥが現在のセルに第二の所定時間以上常駐することを満たす場合、中心周波数が同じるがスモールデータ処理能力の最適化をサポートしないセルを再選択することのうちの一つまたは多様な組み合わせを含むことを特徴とする
請求項３に記載の移動性最適化方法。
【請求項５】
前記スモールデータ処理能力の最適化をサポートするセルを加速して再選択することは、
連続した第一の所定時間内に、サービスセルのセル選択受信レベルがサービスセルのセル選択受信レベル閾値より低く、且つ再選択優先順位の低いセルのセル選択受信レベルとスモールデータ処理能力因子の和が優先順位の低いセルを再選択するセル選択受信レベル閾値より高く、同時にスモールデータ特性を有するＵＥが現在のセルに第二の所定時間以上常駐することを満たす場合、スモールデータ処理能力の最適化をサポートする再選択優先順位の低いセルを再選択すること、
連続した第一の所定時間内に、サービスセルのセル選択品質がサービスセルのセル選択品質閾値より低く、且つ再選択優先順位の低いセルのセル選択品質とスモールデータ処理能力因子の和が優先順位の低いセルを再選択するセル選択品質閾値より高く、同時にスモールデータ特性を有するＵＥが現在のセルに第二の所定時間以上常駐することを満たす場合、スモールデータ処理能力の最適化をサポートする再選択優先順位の低いセルを再選択すること、
連続した第一の所定時間内に、再選択優先順位の高いセルのセル選択受信レベルとスモールデータ処理能力因子の和が優先順位の高いセルを再選択するセル選択受信レベル閾値より高く、同時にスモールデータ特性を有するＵＥが現在のセルに第二の所定時間以上常駐することを満たす場合、スモールデータ処理能力の最適化をサポートする再選択優先順位の高いセルを再選択すること、
連続した第一の所定時間内に、再選択優先順位の高いセルのセル選択品質とスモールデータ処理能力因子の和が優先順位の高いセルを再選択するセル選択品質閾値より高く、同時にスモールデータ特性を有するＵＥが現在のセルに第二の所定時間以上常駐することを満たす場合、スモールデータ処理能力の最適化をサポートする再選択優先順位の高いセルを再選択すること、
連続した第一の所定の時間内に、中心周波数がサービスセルと異なるが、再選択優先順位が同じであるセルは、そのセル配列レベルとスモールデータ処理能力因子の和がサービスセル配列レベルより高く、同時にスモールデータ特性を有するＵＥが現在のセルに第二の所定時間以上常駐することを満たす場合、中心周波数が異なるが、再選択優先順位が同じであり、且つスモールデータ処理能力の最適化をサポートするセルを再選択すること、および
連続した第一の所定時間内に、中心周波数がサービスセルと同じであるセルは、そのセル配列レベルとスモールデータ処理能力因子の和がサービスセル配列レベルより高く、同時にスモールデータ特性を有するＵＥが現在のセルに第二の所定時間以上常駐することを満たす場合、中心周波数が同じであり且つスモールデータ処理能力の最適化をサポートするセルを再選択することのうちの一つまたは多様な組み合わせを含むことを特徴とする
請求項３に記載の移動性最適化方法。
【請求項６】
前記スモールデータ処理能力因子は、
再選択優先順位の低いスモールデータ処理能力因子、
再選択優先順位の高いスモールデータ処理能力因子、
周波数が異なるが、再選択優先順位が同じであるスモールデータ処理能力因子、
周波数が同じであるスモールデータ処理能力因子、および
サービスセルのスモールデータ処理能力因子のうちの一つまたは多様な組み合わせを含むことを特徴とする
請求項４または５に記載の移動性最適化方法。
【請求項７】
移動性最適化方法であって、
ネットワーク側が、正常にセルに常駐する、スモールデータ特性を有するユーザ装置（ＵＥ）へスモールデータ処理能力因子および／またはネットワークがスモールデータ処理能力の最適化をサポートするかどうかの能力情報が含まれているセル再選択情報を提供することと、
切り替えが実行される場合、スモールデータ特性を有するＵＥのために最適化されたスモールデータ処理能力を有し且つ切り替え条件を満たすターゲット基地局（ｅＮＢ）を優先的に選択し、そして選択されたターゲットｅＮＢへ切り替え要求メッセージを送信することとを含む、前記移動性最適化方法。
【請求項８】
前記スモールデータ処理能力因子は、
再選択優先順位の低いスモールデータ処理能力因子、
再選択優先順位の高いスモールデータ処理能力因子、
周波数が異なるが、再選択優先順位が同じであるスモールデータ処理能力因子、
周波数が同じであるスモールデータ処理能力因子、および
サービスセルのスモールデータ処理能力因子のうちの一つまたは多様な組み合わせを含むことを特徴とする
請求項７に記載の移動性最適化方法。
【請求項９】
前記セル再選択情報は、システムメッセージと下リンクの無線リソース制御（ＲＲＣ）シグナリングのうちの一つまたはそれらの組み合わせでＵＥに伝送されることを特徴とする
請求項７に記載の移動性最適化方法。
【請求項１０】
切り替え条件を満たすターゲットｅＮＢが複数である場合、スモールデータ処理能力の最適化をサポートする複数のｅＮＢが含まれると、そのなかの性能の最もよいｅＮＢおよび／または負荷の最も小さいｅＮＢを優先的にターゲットｅＮＢとして選択すること、および
切り替え条件を満たすターゲットｅＮＢが複数である場合、そのなかにスモールデータ処理能力の最適化をサポートするｅＮＢが一つだけであると、スモールデータ処理能力の最適化をサポートするｅＮＢをターゲットｅＮＢとして優先的に選択することのうちの一つで最適化されたスモール処理能力を有するターゲットｅＮＢを優先的に選択することを特徴とする
請求項７に記載の移動性最適化方法。
【請求項１１】
前記スモールデータ特性を有するＵＥは、
スモールデータ属性を有するように構成されるＵＥ、
スモールデータサービスのみをサポートするＵＥ、および
スモールデータを受信または送信しているＵＥのうちの一つを含むことを特徴とする
請求項７〜１０のいずれか１項に記載の移動性最適化方法。
【請求項１２】
スモールデータ特性を有するユーザ装置であって、
前記ユーザ装置がセル再選択を実行する過程において、候補セルにスモールデータ処理能力の最適化をサポートするセルがあるかどうかを判定するように構成される判定モジュールと、
前記判定モジュールの判定結果に基づいて、候補セルにスモールデータ処理能力の最適化をサポートするセルがあることを確定した場合、スモールデータ優先セル再選択原則情報に基づいてセル再選択を行うように構成されるセル再選択モジュールとを含む、前記ユーザ装置。
【請求項１３】
前記スモールデータ特性を有するユーザ装置は、
スモールデータ属性を有するように構成されるユーザ装置、
スモールデータサービスのみをサポートするユーザ装置、
スモールデータを受信または送信しようとするユーザ装置、および
スモールデータを受信または送信しているユーザ装置のうちの一つを含むことを特徴とする
請求項１２に記載のユーザ装置。
【請求項１４】
前記スモールデータ優先セル再選択原則情報は、
スモールデータ特性を有するユーザ装置が正常にスモールデータ処理能力の最適化をサポートする現在のセルに常駐する場合、前記現在のセルの再選択優先順位が最も高いこと、
再選択条件を満たすセルが複数である場合、そのなかにスモールデータ処理能力の最適化をサポートする複数のセルが含まれると、スモールデータ処理能力の最適化をサポートするセルから再選択優先順位の最も高いセルおよび／またはセル配列レベルの最もよいセルを選択すること、
スモールデータ特性を有するユーザ装置がスモールデータ処理能力の最適化をサポートするセルのみから再選択優先順位の最も高いセルまたはセル配列レベルの最もよいセルを選択すること、
スモールデータ特性を有するユーザ装置が正常にスモールデータ処理能力の最適化をサポートする現在のセルに常駐する場合、スモールデータ処理能力の最適化をサポートしないセルを遅延して再選択すること、および
スモールデータ特性を有するユーザ装置が正常にスモールデータ処理能力の最適化をサポートしない現在のセルに常駐する場合、スモールデータ処理能力の最適化をサポートするセルを加速して再選択することのうちの一つまたは多様な組み合わせを含むことを特徴とする
請求項１２または１３に記載のユーザ装置。
【請求項１５】
前記スモールデータ処理能力の最適化をサポートしないセルを遅延して再選択することは、
連続した第一の所定時間内に、サービスセルのセル選択受信レベルとスモールデータ処理能力因子の和がサービスセルのセル選択受信レベル閾値より低く、且つ再選択優先順位の低いセルのセル選択受信レベルが優先順位の低いセルを再選択するセル選択受信レベル閾値より高く、同時にスモールデータ特性を有するユーザ装置が現在のセルに第二の所定時間以上常駐することを満たす場合、スモールデータ処理能力の最適化をサポートしない再選択優先順位の低いセルを再選択すること、
連続した第一の所定時間内に、サービスセルのセル選択品質とスモールデータ処理能力因子の和がサービスセルのセル選択品質閾値より低く、且つ再選択優先順位の低いセルのセル選択品質が優先順位の低いセルを再選択するセル選択品質閾値より高く、同時にスモールデータ特性を有するユーザ装置が現在のセルに第二の所定時間以上常駐することを満たす場合、スモールデータ処理能力の最適化をサポートしない再選択優先順位の低いセルを再選択すること、
連続した第一の所定時間内に、再選択優先順位の高いセルのセル選択受信レベルが優先順位の高いセルを再選択するセル選択受信レベル閾値より高く、同時にスモールデータ特性を有するユーザ装置が現在のセルに第二の所定時間以上常駐することを満たす場合、スモールデータ処理能力の最適化をサポートしない再選択優先順位の高いセルを再選択すること、
連続した第一の所定時間内に、再選択優先順位の高いセルのセル選択品質が優先順位の高いセルを再選択するセル選択品質閾値より高く、同時にスモールデータ特性を有するユーザ装置が現在のセルに第二の所定時間以上常駐することを満たす場合、スモールデータ処理能力の最適化をサポートしない再選択優先順位の高いセルを再選択すること、
連続した第一の所定時間内に、中心周波数がサービスセルと異なるが再選択優先順位が同じであるセルは、そのセル配列レベルがサービスセル配列レベルとスモールデータ処理能力因子の和より高く、同時にスモールデータ特性を有するユーザ装置が現在のセルに第二の所定時間以上常駐することを満たす場合、中心周波数が異なるが、再選択優先順位が同じであり、且つスモールデータ処理能力の最適化をサポートしないセルを再選択すること、および
連続した第一の所定時間内に、中心周波数がサービスセルと同じであるセルは、そのセル配列レベルがサービスセル配列レベルとスモールデータ処理能力因子の和より高く、同時にスモールデータ特性を有するユーザ装置が現在のセルに第二の所定時間以上常駐することを満たす場合、中心周波数が同じであるが、スモールデータ処理能力の最適化をサポートしないセルを再選択することのうちの一つまたは多様な組み合わせを含むことを特徴とする
請求項１４に記載のユーザ装置。
【請求項１６】
前記スモールデータ処理能力の最適化をサポートするセルを加速して再選択することは、
連続した第一の所定時間内に、サービスセルのセル選択受信レベルがサービスセルのセル選択受信レベル閾値より低く、且つ再選択優先順位の低いセルのセル選択受信レベルとスモールデータ処理因子の和が優先順位の低いセルを再選択するセル選択受信レベル閾値より高く、同時にスモールデータ特性を有するユーザ装置が現在のセルに第二の所定時間以上常駐することを満たす場合、スモールデータ処理能力の最適化をサポートする再選択優先順位の低いセルを再選択すること、
連続した第一の所定時間内に、サービスセルのセル選択品質がサービスセルのセル選択品質閾値より低く、且つ再選択優先順位の低いセルのセル選択品質とスモールデータ処理能力因子の和が優先順位の低いセルを再選択するセル選択品質閾値より高く、同時にスモールデータ特性を有するユーザ装置が現在のセルに第二の所定時間以上常駐することを満たす場合、スモールデータ処理能力の最適化をサポートする再選択優先順位の低いセルを再選択すること、
連続した第一の所定時間内に、再選択優先順位の高いセルのセル選択受信レベルとスモールデータ処理能力因子の和が優先順位の高いセルを再選択するセル選択受信レベル閾値より高く、同時にスモールデータ特性を有するユーザ装置が現在のセルに第二の所定時間以上常駐することを満たす場合、スモールデータ処理能力の最適化をサポートする再選択優先順位の高いセルを再選択すること、
連続した第一の所定時間内に、再選択優先順位の高いセルのセル選択品質とスモールデータ処理能力因子の和が優先順位の高いセルを再選択するセル選択品質閾値より高く、同時にスモールデータ特性を有するユーザ装置が現在のセルに第二の所定時間以上常駐することを満たす場合、スモールデータ処理能力の最適化をサポートする再選択優先順位の高いセルを再選択すること、
連続した第一の所定時間内に、中心周波数がサービスセルと異なるが、再選択優先順位が同じであるセルは、そのセル配列レベルとスモールデータ処理能力因子の和がサービスセル配列レベルより高く、同時にスモールデータ特性を有するユーザ装置が現在のセルに第二の所定時間以上常駐することを満たす場合、中心周波数が異なるが再選択優先順位が同じであり、且つスモールデータ処理能力の最適化をサポートするセルを再選択すること、および
連続した第一の所定時間内に、中心周波数がサービスセルと同じであるセルは、そのセル配列レベルとスモールデータ処理能力因子の和がサービスセル配列レベルより高く、同時にスモールデータ特性を有するユーザ装置が現在のセルに第二の所定時間以上常駐することを満たす場合、中心周波数が同じであり且つスモールデータ処理能力の最適化をサポートするセルを再選択することのうちの一つまたは多様な組み合わせを含むことを特徴とする
請求項１４に記載のユーザ装置。
【請求項１７】
前記スモールデータ処理能力因子は、
再選択優先順位の低いスモールデータ処理能力因子、
再選択優先順位の高いスモールデータ処理能力因子、
周波数が異なるが、再選択優先順位が同じであるスモールデータ処理能力因子、
周波数が同じであるスモールデータ処理能力因子、および
サービスセルスモールデータ処理能力因子のうちの一つまたは多様な組み合わせを含むことを特徴とする
請求項１５または１６に記載のユーザ装置。
【請求項１８】
アクセスネットワーク装置であって、
正常にセルに常駐する、スモールデータ特性を有するユーザ装置（ＵＥ）へスモールデータ処理能力因子および／またはネットワークがスモールデータ処理能力の最適化をサポートするかどうかの能力情報を含む再選択原則情報が含まれているセル再選択情報を提供するように構成される情報提供モジュールと、
切り替えが実行される場合、スモールデータ特性を有するＵＥのために最適化されたスモールデータ処理能力を有し且つ切り替え条件を満たすターゲット基地局（ｅＮＢ）を優先的に選択し、そして選択されたターゲットｅＮＢへ切り替え要求メッセージを送信するように構成されるセル切り替えモジュールとを含む、前記アクセスネットワーク装置。
【請求項１９】
前記スモールデータ処理能力因子は、
再選択優先順位の低いスモールデータ処理能力因子、
再選択優先順位の高いスモールデータ処理能力因子、
周波数が異なるが、再選択優先順位が同じであるスモールデータ処理能力因子、
周波数が同じであるスモールデータ処理能力因子、および
サービスセルのスモールデータ処理能力因子のうちの一つまたは多様な組み合わせを含むことを特徴とする
請求項１８に記載のアクセスネットワーク装置。
【請求項２０】
前記セル再選択情報は、システムメッセージと下りリンクの無線リソース制御（ＲＲＣ）シグナリングのうちの一つまたはそれらの組み合わせでＵＥに伝送されることを特徴とする
請求項１８に記載のアクセスネットワーク装置。
【請求項２１】
前記セル切り替えモジュールは、さらに、
切り替え条件を満たすターゲットｅＮＢが複数である場合、スモールデータ処理能力の最適化をサポートする複数のｅＮＢが含まれると、そのなかの性能の最もよいｅＮＢおよび／または負荷の最も小さいｅＮＢをターゲットｅＮＢとして選択すること、および
切り替え条件を満たすターゲットｅＮＢが複数である場合、そのなかにスモールデータ処理能力の最適化をサポートするｅＮＢが１つだけであると、スモールデータ処理能力の最適化をサポートするｅＮＢをターゲットｅＮＢとして優先的に選択することのうちの一つで最適化されたスモールデータ処理能力を有するターゲットｅＮＢを優先的に選択するように構成されることを特徴とする
請求項１８に記載のアクセスネットワーク装置。
【請求項２２】
前記スモールデータ特性を有するＵＥは、
スモールデータ属性を有するように構成されるＵＥ、
スモールデータサービスのみをサポートするＵＥ、および
スモールデータを受信または送信しているＵＥのうちの一つを含むことを特徴とする
請求項１８〜２１のいずれか１項に記載のアクセスネットワーク装置。
【発明の詳細な説明】
【技術分野】
【０００１】
本発明は、移動通信分野におけるセル再選択および切り替え技術に関し、特に移動性最適化方法、ユーザ装置およびアクセスネットワーク装置に関する。
【背景技術】
【０００２】
マシンツーマシン（Ｍ２Ｍ：Ｍａｃｈｉｎｅ  ｔｏ  Ｍａｃｈｉｎｅ）コミュニケーションは、マシンタイプコミュニケーションとも呼ばれ、近年の新しい通信理念として、マシンタイプコミュニケーションのサービスが広く関心を集めて大規模に応用され、例えば、スマートホーム、物流監視などである。これと同時に、人々の生活水準の継続的な向上に伴い、個性化需要に向けて生じる知能端末、例えばスマートフォン、タブレットＰＣも強力な勢いを示す。無線通信技術の急速な発展に伴い、知能端末で実行されるサービス種類が増加され、例えばオンラインゲーム、ストリーミングビデオなどである。多くのマシンタイプコミュニケーションと知能端末の応用シーンにおいて、ユーザ装置（ＵＥ：Ｕｓｅｒ  Ｅｑｕｉｐｍｅｎｔ）から送信されたデータ量が大きくなく（通常は数十〜数百バイト）、少ない物理リソースを占有するだけで、１回のデータ伝送を完了できる。
【０００３】
現在の長期発展型システム（ＬＴＥ：Ｌｏｎｇ  Ｔｅｒｍ  Ｅｖｏｌｕｔｉｏｎ）の標準仕様において、伝送されているデータの量が小さくても完全なシグナリングプロセスを確立する必要があると、スモールデータ伝送を行う時に生成されたシグナリングオーバーヘッドがデータ伝送量に比べて非常に大きく、システム効率を深刻に低下させ、そのためスモールデータ伝送特性に対する研究が急務となっている。上記の問題に対して、従来技術は、制御プレーンを使用してデータを送信することおよびユーザプレーンを急速に確立することなどの複数の解決策を考える。ネットワークとユーザ装置バージョンの違い、またはキャリアのポリシーの違いを考えると、ネットワークと端末の違いが最適化されたスモールデータ伝送方法をサポートするかどうかであるので、端末とネットワークがスモールデータを伝送することが失敗し、さらには異常状況を引き起こして逆にネットワーク処理の複雑さを増加してしまう。スモールデータ伝送の解決意図がスモールデータ伝送によるシグナリングオーバーヘッドを減少させることであるので、ネットワークにおけるスモールデータ特性／サービスを有するユーザ装置を、できるだけこの機能をサポートするネットワークに集中させ、このようにしてスモールデータ送信によるネットワーク全体のシグナリングオーバーヘッドをより良く低減でき、ネットワーク全体最適化に確かに役立つ。
【０００４】
現在の既存のプロトコルにおいてセル再選択原則は、条件を満たすセルから周波数優先順位の最も高いセルを再選択セルとして選択し、条件を満たすセルの周波数優先順位が同じであると、再選択ソート方法に従ってソートした後、ソート結果に応じて最適なセルを選択することである。既存のプロトコルにおけるセル再選択原則に従ってスモールデータ伝送特性を有するＵＥを優先的に、スモールデータ伝送方式の最適化をサポートするネットワークに再選択させることができないので、スモールデータ伝送によるネットワーク全体のシグナリングオーバーヘッドを低下させるために、セル再選択原則を最適化する必要がある。同様に、既存のプロトコルにおいてＵＥが切り替えられる場合に、ソースネットワークがターゲットネットワークを選択する時にスモールデータ伝送特性を有するＵＥを優先的に、スモールデータ伝送方式の最適化をサポートするネットワークに選択させることができないので、スモールデータ伝送によるネットワーク全体のシグナリングオーバーヘッドを低下させるために、セル切り替え原則を最適化する必要もある。
【発明の概要】
【発明が解決しようとする課題】
【０００５】
従来の技術問題を解決するために、本発明の実施形態は、移動性最適化方法、ユーザ装置およびアクセスネットワーク装置を提供する。
【課題を解決するための手段】
【０００６】
本発明の実施形態に係る移動性最適化方法は、
スモールデータ特性を有するユーザ装置（ＵＥ）は、セル再選択を実行する過程において、候補セルにスモールデータ処理能力の最適化をサポートするセルがあることを確定した場合、スモールデータ優先セル再選択原則情報に基づいてセル再選択を行うことを含む。
【０００７】
一つの実施形態では、前記スモールデータ特性を有するＵＥは、
スモールデータ属性を有するように構成されるＵＥ、
スモールデータサービスのみをサポートするＵＥ、
スモールデータを受信または送信しようとするＵＥ、および
スモールデータを受信または送信しているＵＥのうちの一つを含む。
【０００８】
一つの実施形態では、前記スモールデータ優先セル再選択原則情報は、
スモールデータ特性を有するＵＥが正常にスモールデータ処理能力の最適化をサポートする現在のセルに常駐する場合、前記現在のセルの再選択優先順位が最も高いこと、
再選択条件を満たすセルが複数である場合、そのなかにスモールデータ処理能力の最適化をサポートする複数のセルが含まれると、スモールデータ処理能力の最適化をサポートするセルから再選択優先順位の最も高いセルおよび／またはセル配列レベルの最もよいセルを選択すること、
スモールデータ特性を有するＵＥがスモールデータ処理能力の最適化をサポートするセルのみから再選択優先順位の最も高いセルまたはセル配列レベルの最もよいセルを選択すること、
スモールデータ特性を有するＵＥが正常にスモールデータ処理能力の最適化をサポートする現在のセルに常駐する場合、スモールデータ処理能力の最適化をサポートしないセルを遅延して選択すること、および
スモールデータ特性を有するＵＥが正常にスモールデータ処理能力の最適化をサポートしない現在のセルに常駐する場合、スモールデータ処理能力の最適化をサポートするセルを加速して再選択することのうちの一つまたは多様な組み合わせを含む。
【０００９】
一つの実施形態では、前記スモールデータ処理能力の最適化をサポートしないセルを遅延して再選択することは、
連続した第一の所定時間内に、サービスセルのセル選択受信レベルとスモールデータ処理能力因子の和がサービスセルのセル選択受信レベル閾値より低く、且つ再選択優先順位の低いセルのセル選択受信レベルが優先順位の低いセルを再選択するセル選択受信レベル閾値より高く、同時にスモールデータ特性を有するＵＥが現在のセルに第二の所定時間以上常駐することを満たす場合、スモールデータ処理能力の最適化をサポートしない再選択優先順位の低いセルを再選択すること、
連続した第一の所定時間内に、サービスセルのセル選択品質とスモールデータ処理能力因子の和がサービスセルのセル選択品質閾値より低く、且つ再選択優先順位の低いセルのセル選択品質が優先順位の低いセルを再選択するセル選択品質閾値より高く、同時にスモールデータ特性を有するＵＥが現在のセルに第二の所定時間以上常駐することを満たす場合、スモールデータ処理能力の最適化をサポートしない再選択優先順位の低いセルを再選択すること、
連続した第一の所定時間内に、再選択優先順位の高いセルのセル選択受信レベルが優先順位の高いセルを再選択するセル選択受信レベル閾値より高く、同時にスモールデータ特性を有するＵＥが現在のセルに第二の所定時間以上常駐することを満たす場合、スモールデータ処理能力の最適化をサポートしない再選択優先順位の高いセルを再選択すること、
連続した第一の所定時間内に、再選択優先順位の高いセルのセル選択品質が優先順位の高いセルを再選択するセル選択品質閾値より高く、同時にスモールデータ特性を有するＵＥが現在のセルに第二の所定時間以上常駐することを満たす場合、スモールデータ処理能力の最適化をサポートしない再選択優先順位の高いセルを再選択すること、
連続した第一の所定時間内に、中心周波数がサービスセルと異なるが、再選択優先順位が同じであるセルは、そのセル配列レベルがサービスセル配列レベルとスモールデータ処理能力因子の和より高く、同時にスモールデータ特性を有するＵＥが現在のセルに第二の所定時間以上常駐することを満たす場合、中心周波数が異なるが、再選択優先順位が同じであり、且つスモールデータ処理能力の最適化をサポートしないセルを再選択すること、および
連続した第一の所定時間内に、中心周波数がサービスセルと同じであるセルは、そのセル配列レベルがサービスセル配列レベルとスモールデータ処理能力因子の和より高く、同時にスモールデータ特性を有するＵＥが現在のセルに第二の所定時間以上常駐することを満たす場合、中心周波数が同じるがスモールデータ処理能力の最適化をサポートしないセルを再選択することのうちの一つまたは多様な組み合わせを含む。
【００１０】
一つの実施形態では、前記スモールデータ処理能力の最適化をサポートするセルを加速して再選択することは、
連続した第一の所定時間内に、サービスセルのセル選択受信レベルがサービスセルのセル選択受信レベル閾値より低く、且つ再選択優先順位の低いセルのセル選択受信レベルとスモールデータ処理能力因子の和が優先順位の低いセルを再選択するセル選択受信レベル閾値より高く、同時にスモールデータ特性を有するＵＥが現在のセルに第二の所定時間以上常駐することを満たす場合、スモールデータ処理能力の最適化をサポートする再選択優先順位の低いセルを再選択すること、
連続した第一の所定時間内に、サービスセルのセル選択品質がサービスセルのセル選択品質閾値より低く、且つ再選択優先順位の低いセルのセル選択品質とスモールデータ処理能力因子の和が優先順位の低いセルを再選択するセル選択品質閾値より高く、同時にスモールデータ特性を有するＵＥが現在のセルに第二の所定時間以上常駐することを満たす場合、スモールデータ処理能力の最適化をサポートする再選択優先順位の低いセルを再選択すること、
連続した第一の所定時間内に、再選択優先順位の高いセルのセル選択受信レベルとスモールデータ処理能力因子の和が優先順位の高いセルを再選択するセル選択受信レベル閾値より高く、同時にスモールデータ特性を有するＵＥが現在のセルに第二の所定時間以上常駐することを満たす場合、スモールデータ処理能力の最適化をサポートする再選択優先順位の高いセルを再選択すること、
連続した第一の所定時間内に、再選択優先順位の高いセルのセル選択品質とスモールデータ処理能力因子の和が優先順位の高いセルを再選択するセル選択品質閾値より高く、同時にスモールデータ特性を有するＵＥが現在のセルに第二の所定時間以上常駐することを満たす場合、スモールデータ処理能力の最適化をサポートする再選択優先順位の高いセルを再選択すること、
連続した第一の所定の時間内に、中心周波数がサービスセルと異なるが、再選択優先順位が同じであるセルは、そのセル配列レベルとスモールデータ処理能力因子の和がサービスセル配列レベルより高く、同時にスモールデータ特性を有するＵＥが現在のセルに第二の所定時間以上常駐することを満たす場合、中心周波数が異なるが、再選択優先順位が同じであり、且つスモールデータ処理能力の最適化をサポートするセルを再選択すること、および
連続した第一の所定時間内に、中心周波数がサービスセルと同じであるセルは、そのセル配列レベルとスモールデータ処理能力因子の和がサービスセル配列レベルより高く、同時にスモールデータ特性を有するＵＥが現在のセルに第二の所定時間以上常駐することを満たす場合、中心周波数が同じであり且つスモールデータ処理能力の最適化をサポートするセルを再選択することのうちの一つまたは多様な組み合わせを含む。
【００１１】
一つの実施形態では、前記スモールデータ処理能力因子は、
再選択優先順位の低いスモールデータ処理能力因子、
再選択優先順位の高いスモールデータ処理能力因子、
周波数が異なるが再選択優先順位が同じであるスモールデータ処理能力因子、
周波数が同じであるスモールデータ処理能力因子、および
サービスセルのスモールデータ処理能力因子のうちの一つまたは多様な組み合わせを含む。
【００１２】
本発明の実施形態に係る移動性最適化方法は、
ネットワーク側が、正常にセルに常駐する、スモールデータ特性を有するユーザ装置（ＵＥ）へスモールデータ処理能力因子および／またはネットワークがスモールデータ処理能力の最適化をサポートするかどうかの能力情報が含まれているセル再選択情報を提供することと、
切り替えが実行される場合、スモールデータ特性を有するＵＥのために最適化されたスモールデータ処理能力を有し且つ切り替え条件を満たすターゲット基地局（ｅＮＢ）を優先的に選択し、そして選択されたターゲットｅＮＢへ切り替え要求メッセージを送信することとを含む。
【００１３】
一つの実施形態では、前記スモールデータ処理能力因子は、
再選択優先順位の低いスモールデータ処理能力因子、
再選択優先順位の高いスモールデータ処理能力因子、
周波数が異なるが、再選択優先順位が同じであるスモールデータ処理能力因子、
周波数が同じであるスモールデータ処理能力因子、および
サービスセルのスモールデータ処理能力因子のうちの一つまたは多様な組み合わせを含む。
【００１４】
一つの実施形態では、前記セル再選択情報は、システムメッセージと下リンクの無線リソース制御（ＲＲＣ）シグナリングのうちの一つまたはそれらの組み合わせでＵＥに伝送される。
【００１５】
一つの実施形態では、
切り替え条件を満たすターゲットｅＮＢが複数である場合、スモールデータ処理能力の最適化をサポートする複数のｅＮＢが含まれると、そのなかの性能の最もよいｅＮＢおよび／または負荷の最も小さいｅＮＢを優先的にターゲットｅＮＢとして選択すること、および
切り替え条件を満たすターゲットｅＮＢが複数である場合、そのなかにスモールデータ処理能力の最適化をサポートするｅＮＢが一つだけであると、スモールデータ処理能力の最適化をサポートするｅＮＢをターゲットｅＮＢとして優先的に選択することのうちの一つで最適化されたスモール処理能力を有するターゲットｅＮＢを優先的に選択する。
【００１６】
一つの実施形態では、前記スモールデータ特性を有するＵＥは、
スモールデータ属性を有するように構成されるＵＥ、
スモールデータサービスのみをサポートするＵＥ、および
スモールデータを受信または送信しているＵＥのうちの一つを含む。
【００１７】
本発明の実施形態に係るスモールデータ特性を有するユーザ装置は、
前記ユーザ装置がセル再選択を実行する過程において、候補セルにスモールデータ処理能力の最適化をサポートするセルがあるかどうかを判定するように構成される判定モジュールと、
前記判定モジュールの判定結果に基づいて、候補セルにスモールデータ処理能力の最適化をサポートするセルがあることを確定した場合、スモールデータ優先セル再選択原則情報に基づいてセル再選択を行うように構成されるセル再選択モジュールとを含む。
【００１８】
一つの実施形態では、前記スモールデータ特性を有するユーザ装置は、
スモールデータ属性を有するように構成されるユーザ装置、
スモールデータサービスのみをサポートするユーザ装置、
スモールデータを受信または送信しようとするユーザ装置、および
スモールデータを受信または送信しているユーザ装置のうちの一つを含む。
【００１９】
一つの実施形態では、前記スモールデータ優先セル再選択原則情報は、
スモールデータ特性を有するユーザ装置が正常にスモールデータ処理能力の最適化をサポートする現在のセルに常駐する場合、前記現在のセルの再選択優先順位が最も高いこと、
再選択条件を満たすセルが複数である場合、そのなかにスモールデータ処理能力の最適化をサポートする複数のセルが含まれると、スモールデータ処理能力の最適化をサポートするセルから再選択優先順位の最も高いセルおよび／またはセル配列レベルの最もよいセルを選択すること、
スモールデータ特性を有するユーザ装置がスモールデータ処理能力の最適化をサポートするセルのみから再選択優先順位の最も高いセルまたはセル配列レベルの最もよいセルを選択すること、
スモールデータ特性を有するユーザ装置が正常にスモールデータ処理能力の最適化をサポートする現在のセルに常駐する場合、スモールデータ処理能力の最適化をサポートしないセルを遅延して再選択すること、および
スモールデータ特性を有するユーザ装置が正常にスモールデータ処理能力の最適化をサポートしない現在のセルに常駐する場合、スモールデータ処理能力の最適化をサポートするセルを加速して再選択することのうちの一つまたは多様な組み合わせを含む。
【００２０】
一つの実施形態では、前記スモールデータ処理能力の最適化をサポートしないセルを遅延して再選択することは、
連続した第一の所定時間内に、サービスセルのセル選択受信レベルとスモールデータ処理能力因子の和がサービスセルのセル選択受信レベル閾値より低く、且つ再選択優先順位の低いセルのセル選択受信レベルが優先順位の低いセルを再選択するセル選択受信レベル閾値より高く、同時にスモールデータ特性を有するユーザ装置が現在のセルに第二の所定時間以上常駐することを満たす場合、スモールデータ処理能力の最適化をサポートしない再選択優先順位の低いセルを再選択すること、
連続した第一の所定時間内に、サービスセルのセル選択品質とスモールデータ処理能力因子の和がサービスセルのセル選択品質閾値より低く、且つ再選択優先順位の低いセルのセル選択品質が優先順位の低いセルを再選択するセル選択品質閾値より高く、同時にスモールデータ特性を有するユーザ装置が現在のセルに第二の所定時間以上常駐することを満たす場合、スモールデータ処理能力の最適化をサポートしない再選択優先順位の低いセルを再選択すること、
連続した第一の所定時間内に、再選択優先順位の高いセルのセル選択受信レベルが優先順位の高いセルを再選択するセル選択受信レベル閾値より高く、同時にスモールデータ特性を有するユーザ装置が現在のセルに第二の所定時間以上常駐することを満たす場合、スモールデータ処理能力の最適化をサポートしない再選択優先順位の高いセルを再選択すること、
連続した第一の所定時間内に、再選択優先順位の高いセルのセル選択品質が優先順位の高いセルを再選択するセル選択品質閾値より高く、同時にスモールデータ特性を有するユーザ装置が現在のセルに第二の所定時間以上常駐することを満たす場合、スモールデータ処理能力の最適化をサポートしない再選択優先順位の高いセルを再選択すること、
連続した第一の所定時間内に、中心周波数がサービスセルと異なるが再選択優先順位が同じであるセルは、そのセル配列レベルがサービスセル配列レベルとスモールデータ処理能力因子の和より高く、同時にスモールデータ特性を有するユーザ装置が現在のセルに第二の所定時間以上常駐することを満たす場合、中心周波数が異なるが、再選択優先順位が同じであり、且つスモールデータ処理能力の最適化をサポートしないセルを再選択すること、および
連続した第一の所定時間内に、中心周波数がサービスセルと同じであるセルは、そのセル配列レベルがサービスセル配列レベルとスモールデータ処理能力因子の和より高く、同時にスモールデータ特性を有するユーザ装置が現在のセルに第二の所定時間以上常駐することを満たす場合、中心周波数が同じであるがスモールデータ処理能力の最適化をサポートしないセルを再選択することのうちの一つまたは多様な組み合わせを含む。
【００２１】
一つの実施形態では、前記スモールデータ処理能力の最適化をサポートするセルを加速して再選択することは、
連続した第一の所定時間内に、サービスセルのセル選択受信レベルがサービスセルのセル選択受信レベル閾値より低く、且つ再選択優先順位の低いセルのセル選択受信レベルとスモールデータ処理因子の和が優先順位の低いセルを再選択するセル選択受信レベル閾値より高く、同時にスモールデータ特性を有するユーザ装置が現在のセルに第二の所定時間以上常駐することを満たす場合、スモールデータ処理能力の最適化をサポートする再選択優先順位の低いセルを再選択すること、
連続した第一の所定時間内に、サービスセルのセル選択品質がサービスセルのセル選択品質閾値より低く、且つ再選択優先順位の低いセルのセル選択品質とスモールデータ処理能力因子の和が優先順位の低いセルを再選択するセル選択品質閾値より高く、同時にスモールデータ特性を有するユーザ装置が現在のセルに第二の所定時間以上常駐することを満たす場合、スモールデータ処理能力の最適化をサポートする再選択優先順位の低いセルを再選択すること、
連続した第一の所定時間内に、再選択優先順位の高いセルのセル選択受信レベルとスモールデータ処理能力因子の和が優先順位の高いセルを再選択するセル選択受信レベル閾値より高く、同時にスモールデータ特性を有するユーザ装置が現在のセルに第二の所定時間以上常駐することを満たす場合、スモールデータ処理能力の最適化をサポートする再選択優先順位の高いセルを再選択すること、
連続した第一の所定時間内に、再選択優先順位の高いセルのセル選択品質とスモールデータ処理能力因子の和が優先順位の高いセルを再選択するセル選択品質閾値より高く、同時にスモールデータ特性を有するユーザ装置が現在のセルに第二の所定時間以上常駐することを満たす場合、スモールデータ処理能力の最適化をサポートする再選択優先順位の高いセルを再選択すること、
連続した第一の所定時間内に、中心周波数がサービスセルと異なるが、再選択優先順位が同じであるセルは、そのセル配列レベルとスモールデータ処理能力因子の和がサービスセル配列レベルより高く、同時にスモールデータ特性を有するユーザ装置が現在のセルに第二の所定時間以上常駐することを満たす場合、中心周波数が異なるが再選択優先順位が同じであり、且つスモールデータ処理能力の最適化をサポートするセルを再選択すること、および
連続した第一の所定時間内に、中心周波数がサービスセルと同じであるセルは、そのセル配列レベルとスモールデータ処理能力因子の和がサービスセル配列レベルより高く、同時にスモールデータ特性を有するユーザ装置が現在のセルに第二の所定時間以上常駐することを満たす場合、中心周波数が同じであり且つスモールデータ処理能力の最適化をサポートするセルを再選択することのうちの一つまたは多様な組み合わせを含む。
【００２２】
一つの実施形態では、前記スモールデータ処理能力因子は、
再選択優先順位の低いスモールデータ処理能力因子、
再選択優先順位の高いスモールデータ処理能力因子、
周波数が異なるが再選択優先順位が同じであるスモールデータ処理能力因子、
周波数が同じであるスモールデータ処理能力因子、および
サービスセルのスモールデータ処理能力因子のうちの一つまたは多様な組み合わせを含む。
【００２３】
本発明の実施形態に係るアクセスネットワーク装置は、
正常にセルに常駐する、スモールデータ特性を有するユーザ装置（ＵＥ）へスモールデータ処理能力因子および／またはネットワークがスモールデータ処理能力の最適化をサポートするかどうかの能力情報を含む再選択原則情報が含まれるセル再選択情報を提供するように構成される情報提供モジュールと、
切り替えが実行される場合、スモールデータ特性を有するＵＥのために最適化されたスモールデータ処理能力を有し且つ切り替え条件を満たすターゲット基地局（ｅＮＢ）を優先的に選択し、そして選択されたターゲットｅＮＢへ切り替え要求メッセージを送信するように構成されるセル切り替えモジュールとを含む。
【００２４】
一つの実施形態では、前記スモールデータ処理能力因子は、
再選択優先順位の低いスモールデータ処理能力因子、
再選択優先順位の高いスモールデータ処理能力因子、
周波数が異なるが、再選択優先順位が同じであるスモールデータ処理能力因子、
周波数が同じであるスモールデータ処理能力因子、および
サービスセルのスモールデータ処理能力因子のうちの一つまたは多様な組み合わせを含む。
【００２５】
一つの実施形態では、前記セル再選択情報は、システムメッセージと下りリンクの無線リソース制御（ＲＲＣ）シグナリングのうちの一つまたはそれらの組み合わせでＵＥに伝送される。
【００２６】
一つの実施形態では、前記セル切り替えモジュールは、さらに、
切り替え条件を満たすターゲットｅＮＢが複数である場合、スモールデータ処理能力の最適化をサポートする複数のｅＮＢが含まれると、そのなかの性能の最もよいｅＮＢおよび／または負荷の最も小さいｅＮＢをターゲットｅＮＢとして選択すること、および
切り替え条件を満たすターゲットｅＮＢが複数である場合、そのなかにスモールデータ処理能力の最適化をサポートするｅＮＢが１つだけであると、スモールデータ処理能力の最適化をサポートするｅＮＢをターゲットｅＮＢとして優先的に選択することのうちの一つで最適化されたスモールデータ処理能力を有するターゲットｅＮＢを優先的に選択するように構成される。
【００２７】
一つの実施形態では、前記スモールデータ特性を有するＵＥは、
スモールデータ属性を有するように構成されるＵＥ、
スモールデータサービスのみをサポートするＵＥ、および
スモールデータを受信または送信しているＵＥのうちの一つを含む。
【発明の効果】
【００２８】
本発明の実施形態に係る移動性最適化方法、ユーザ装置およびアクセスネットワーク装置は、セル再選択の場合に、スモールデータ特性を有するＵＥを優先的にスモールデータ伝送方式の最適化をサポートするネットワークに再選択させることができ、セルが切り替えられる場合、スモールデータ伝送特性を有するＵＥを優先的にスモールデータ伝送方式の最適化をサポートするネットワークに選択させることができる。これにより、スモールデータ伝送によるネットワーク全体のシグナリングオーバーヘッドを低下させ、ネットワークの性能最適化を実現し、システム効率を向上させることができる。
【図面の簡単な説明】
【００２９】
【図１】本発明の実施形態におけるＵＥが、常駐しているスモールデータ処理能力の最適化をサポートするセルから周波数優先順位の低く且つスモールデータ処理能力の最適化をサポートしないセルを再選択するフローチャートである。
【図２】本発明の実施形態におけるＵＥが、常駐しているスモールデータ処理能力の最適化をサポートするセルから周波数優先順位の低く且つ同様にスモールデータ処理能力の最適化をサポートするセルを再選択するフローチャートである。
【図３】本発明の実施形態におけるＵＥが、常駐しているスモールデータ処理能力の最適化をサポートしないセルから周波数優先順位の高く且つスモールデータ処理能力の最適化をサポートするセルを再選択するフローチャートである。
【図４】本発明の実施形態におけるＵＥが、常駐しているスモールデータ処理能力の最適化をサポートしないセルから周波数優先順位の高く且つ同様にスモールデータ処理能力の最適化をサポートしないセルを再選択するフローチャートである。
【図５】本発明の実施形態におけるＵＥが、常駐しているスモールデータ処理能力の最適化をサポートしないセルから中心周波数が異なるが再選択優先順位が同じであり且つスモールデータ処理能力の最適化をサポートするセルを再選択するフローチャートである。
【図６】本発明の実施形態におけるＵＥが、常駐しているスモールデータ処理能力の最適化をサポートしないセルから中心周波数が同じであり且つスモールデータ処理能力の最適化をサポートするセルを再選択するフローチャートである。
【図７】本発明の実施形態におけるＵＥが、スモールデータ処理能力の最適化をサポートしないソースセルからスモールデータ処理能力の最適化をサポートするターゲットセルに優先的に切り替えられるフローチャートである。
【図８】本発明の実施形態におけるＵＥが、再選択優先順位の低いセルを再選択する条件を満たす複数のセルからスモールデータ処理能力の最適化をサポートするセルを再選択セルとして選択するフローチャートである。
【図９】発明の実施形態におけるＵＥが、スモールデータ処理能力の最適化をサポートするソースセルからスモールデータ処理能力の最適化をサポートしないターゲットセルに優先的に切り替えられるフローチャートである。
【発明を実施するための形態】
【００３０】
以下、図面と具体的な実施形態を参照して本発明の技術的解決手段をさらに詳しく説明する。
【００３１】
本発明の実施形態に係る移動性最適化方法は、スモールデータ特性を有するＵＥが、セル再選択を実行する過程において、候補セルにスモールデータ処理能力の最適化をサポートするセルがあることを確定した場合、スモールデータ優先セル再選択原則情報に基づいてセル再選択を行うことを含む。
【００３２】
ここで、スモールデータ優先セル再選択原則情報は、ネットワークによってＵＥに送信されてよく、ＵＥの内部に予め設定されてもよい。
【００３３】
ここで、スモールデータ特性を有するＵＥは、
スモールデータ属性を有するように構成されるＵＥ、
スモールデータサービスのみをサポートするＵＥ、
スモールデータを受信または送信しようとするＵＥ、および
スモールデータを受信または送信しているＵＥのうちの一つを含む。
【００３４】
一つの実施形態では、スモールデータ優先セル再選択原則情報は、
スモールデータ特性を有するＵＥが正常にスモールデータ処理能力の最適化をサポートする現在のセルに常駐する場合、前記現在のセルの再選択優先順位が最も高いこと、
再選択条件を満たすセルが複数である場合、そのなかにスモールデータ処理能力の最適化をサポートする複数のセルが含まれると、スモールデータ処理能力の最適化をサポートするセルから再選択優先順位の最も高いセルおよび／またはセル配列レベルの最もよいセルを選択すること、
スモールデータ特性を有するＵＥがスモールデータ処理能力の最適化をサポートするセルのみから再選択優先順位の最も高いセルまたはセル配列レベルの最もよいセルを選択すること、
スモールデータ特性を有するＵＥが正常にスモールデータ処理能力の最適化をサポートする現在のセルに常駐する場合、スモールデータ処理能力の最適化をサポートしないセルを遅延して選択すること、および
スモールデータ特性を有するＵＥが正常にスモールデータ処理能力の最適化をサポートしない現在のセルに常駐する場合、スモールデータ処理能力の最適化をサポートするセルを加速して再選択することのうちの一つまたは多様な組み合わせを含む。
【００３５】
一つの実施形態では、スモールデータ処理能力の最適化をサポートしないセルを遅延して再選択することは、
連続した第一の所定時間内に、サービスセルのセル選択受信レベルとスモールデータ処理能力因子（当該因子がサービスセルスモールデータ処理能力因子に対応する）の和がサービスセルのセル選択受信レベル閾値より低く、且つ再選択優先順位の低いセルのセル選択受信レベルが優先順位の低いセルを再選択するセル選択受信レベル閾値より高く、同時にスモールデータ特性を有するＵＥが現在のセルに第二の所定時間以上常駐することを満たす場合、スモールデータ処理能力の最適化をサポートしない再選択優先順位の低いセルを再選択すること、
連続した第一の所定時間内に、サービスセルのセル選択品質とスモールデータ処理能力因子（当該因子がサービスセルスモールデータ処理能力因子に対応する）の和がサービスセルのセル選択品質閾値より低く、且つ再選択優先順位の低いセルのセル選択品質が優先順位の低いセルを再選択するセル選択品質閾値より高く、同時にスモールデータ特性を有するＵＥが現在のセルに第二の所定時間以上常駐することを満たす場合、スモールデータ処理能力の最適化をサポートしない再選択優先順位の低いセルを再選択すること、
連続した第一の所定時間内に、再選択優先順位の高いセルのセル選択受信レベルが優先順位の高いセルを再選択するセル選択受信レベル閾値より高く、同時にスモールデータ特性を有するＵＥが現在のセルに第二の所定時間以上常駐することを満たす場合、スモールデータ処理能力の最適化をサポートしない再選択優先順位の高いセルを再選択すること、
連続した第一の所定時間内に、再選択優先順位の高いセルのセル選択品質が優先順位の高いセルを再選択するセル選択品質閾値より高く、同時にスモールデータ特性を有するＵＥが現在のセルに第二の所定時間以上常駐することを満たす場合、スモールデータ処理能力の最適化をサポートしない再選択優先順位の高いセルを再選択すること、
連続した第一の所定時間内に、中心周波数がサービスセルと異なるが、再選択優先順位が同じであるセルは、そのセル配列レベルがサービスセル配列レベルとスモールデータ処理能力因子（当該因子は周波数が異なるが、再選択優先順位が同じであるスモールデータ処理因子に対応する）の和より高く、同時にスモールデータ特性を有するＵＥが現在のセルに第二の所定時間以上常駐することを満たす場合、中心周波数が異なるが、再選択優先順位が同じであり、且つスモールデータ処理能力の最適化をサポートしないセルを再選択すること、および
連続した第一の所定時間内に、中心周波数がサービスセルと同じであるセルは、そのセル配列レベルがサービスセル配列レベルとスモールデータ処理能力因子（当該因子は周波数が同じであるスモールデータ処理因子に対応する）の和より高く、同時にスモールデータ特性を有するＵＥが現在のセルに第二の所定時間以上常駐することを満たす場合、中心周波数が同じるが、スモールデータ処理能力の最適化をサポートしないセルを再選択することのうちの一つまたは多様な組み合わせを含む。
【００３６】
一つの実施形態では、スモールデータ処理能力の最適化をサポートするセルを加速して再選択することは、
連続した第一の所定時間内に、サービスセルのセル選択受信レベルがサービスセルのセル選択受信レベル閾値より低く、且つ再選択優先順位の低いセルのセル選択受信レベルとスモールデータ処理能力因子（当該因子が再選択優先順位の低いスモールデータ処理因子に対応する）の和が優先順位の低いセルを再選択するセル選択受信レベル閾値より高く、同時にスモールデータ特性を有するＵＥが現在のセルに第二の所定時間以上常駐することを満たす場合、スモールデータ処理能力の最適化をサポートする再選択優先順位の低いセルを再選択すること、
連続した第一の所定時間内に、サービスセルのセル選択品質がサービスセルのセル選択品質閾値より低く、且つ再選択優先順位の低いセルのセル選択品質とスモールデータ処理能力因子（当該因子が再選択優先順位の低いスモールデータ処理因子に対応する）の和が優先順位の低いセルを再選択するセル選択品質閾値より高く、同時にスモールデータ特性を有するＵＥが現在のセルに第二の所定時間以上常駐することを満たす場合、スモールデータ処理能力の最適化をサポートする再選択優先順位の低いセルを再選択すること、
連続した第一の所定時間内に、再選択優先順位の高いセルのセル選択受信レベルとスモールデータ処理能力因子（当該因子が再選択優先順位の高いスモールデータ処理因子に対応する）の和が優先順位の高いセルを再選択するセル選択受信レベル閾値より高く、同時にスモールデータ特性を有するＵＥが現在のセルに第二の所定時間以上常駐することを満たす場合、スモールデータ処理能力の最適化をサポートする再選択優先順位の高いセルを再選択すること、
連続した第一の所定時間内に、再選択優先順位の高いセルのセル選択品質とスモールデータ処理能力因子（該因子が再選択優先順位の高いスモールデータ処理因子に対応する）の和が優先順位の高いセルを再選択するセル選択品質閾値より高く、同時にスモールデータ特性を有するＵＥが現在のセルに第二の所定時間以上常駐することを満たす場合、スモールデータ処理能力の最適化をサポートする再選択優先順位の高いセルを再選択すること、
連続した第一の所定の時間内に、中心周波数がサービスセルと異なるが、再選択優先順位が同じであるセルは、そのセル配列レベルとスモールデータ処理能力因子（当該因子は、周波数が異なるが再選択優先順位が同じであるスモールデータ処理因子に対応する）の和がサービスセル配列レベルより高く、同時にスモールデータ特性を有するＵＥが現在のセルに第二の所定時間以上常駐することを満たす場合、中心周波数が異なるが、再選択優先順位が同じであり、且つスモールデータ処理能力の最適化をサポートするセルを再選択すること、および
連続した第一の所定時間内に、中心周波数がサービスセルと同じであるセルは、そのセル配列レベルとスモールデータ処理能力因子（当該因子は周波数が同じであるスモールデータ処理能力因子に対応する）の和がサービスセル配列レベルより高く、同時にスモールデータ特性を有するＵＥが現在のセルに第二の所定時間以上常駐することを満たす場合、中心周波数が同じであり且つスモールデータ処理能力の最適化をサポートするセルを再選択することのうちの一つまたは多様な組み合わせを含む。
【００３７】
一つの実施形態では、スモールデータ処理能力因子は、
再選択優先順位の低いスモールデータ処理能力因子、
再選択優先順位の高いスモールデータ処理能力因子、
周波数が異なるが、再選択優先順位が同じであるスモールデータ処理能力因子、
周波数が同じであるスモールデータ処理能力因子、および
サービスセルスモールデータ処理能力因子のうちの一つまたは多様な組み合わせを含む。
【００３８】
前記移動性最適化方法に対応して、本発明の実施形態に係るスモールデータ特性を有するユーザ装置は、
前記ユーザ装置がセル再選択を実行する過程において、候補セルにスモールデータ処理能力の最適化をサポートするセルがあるかどうかを判定するように構成される判定モジュールと、
前記判定モジュールの判定結果に基づいて、候補セルにスモールデータ処理能力の最適化をサポートするセルがあることを確定した場合、スモールデータ優先セル再選択原則情報に基づいてセル再選択を行うように構成されるセル再選択モジュールとを含む。
【００３９】
ここで、ユーザ装置の内部の判定モジュールとセル再選択モジュールの具体的な実行機能は、上記の方法の通りであるので、ここで説明を省略する。
【００４０】
以下、具体的な実施形態を参照して前記移動性最適化方法をさらに詳しく説明する。
【００４１】
図１は、ＵＥが、常駐しているスモールデータ処理能力の最適化をサポートするセルから周波数優先順位の低く且つスモールデータ処理能力の最適化をサポートしないセルを再選択するフローチャートであり、以下のステップを含む。
【００４２】
ステップ１０１において、スモールデータ特性を有するＵＥは、正常に現在のセルに常駐する。
【００４３】
ＵＥは、セル選択またはセル再選択プロセスを通じた後、正常に現在のセルに常駐する。ＵＥは、正常に常駐するセルで、システムメッセージを受信し、および無線リソース制御（ＲＲＣ：Ｒａｄｉｏ  Ｒｅｓｏｕｒｃｅ  Ｃｏｎｔｒｏｌ）接続確立プロセスなどを開始することができる。本実施形態において、ＵＥは、スモールデータ属性を有するように構成され、現在のセルは、セルＡである。
【００４４】
ステップ１０２において、ＵＥは、常駐しているセルでシステムメッセージを取得することにより、セル再選択関連情報を取得する。
【００４５】
基地局（ｅＮＢ）は、セル再選択情報が含まれているシステムメッセージまたはＲＲＣシグナリングを使用し、セル再選択プロセスに関連するパラメータ（即ちセル再選択関連情報）をＵＥに伝送することができる。ｅＮＢは、当該メッセージに、セルがスモールデータ処理能力の最適化をサポートするかどうか情報を含めてＵＥに通知し、ＵＥのためにその後のセル再選択プロセスを行うための支援を提供することもできる。
【００４６】
本実施形態において、ｅＮＢは、次のセル再選択プロセスのために、セル再選択プロセスに関連するパラメータ、およびスモールデータ処理能力の最適化をサポートする情報をシステムメッセージでＵＥへ送信する。セル再選択プロセスにおける関連パラメータは、セル再選択優先順位、セル遅延値および同じ周波数のセル選択受信レベル閾値などのパラメータを含む。セルＡの再選択優先順位が４であるが、当該セルがスモールデータ処理能力の最適化をサポートするので、現在、当該セルの再選択優先順位が最も高く、７であると考えられる。優先順位の低いセルを再選択するセル選択品質閾値が４ｄＢであり、サービスセルのセル選択品質閾値が３ｄＢであり、再選択優先順位の低いスモールデータ処理因子とサービスセルスモールデータ処理因子が同じであって、いずれも１ｄＢである。
【００４７】
ステップ１０３において、ＵＥは、ＩＤＬＥ（アイドル）状態測定構成情報が含まれているＲＲＣシグナリングでＩＤＬＥ状態の測定構成を取得する。
【００４８】
ｅＮＢは、測定構成情報が含まれているＲＲＣ接続再構成シグナリングでＩＤＬＥ状態のＵＥに対して測定構成を行う。
【００４９】
この例においてＵＥにより測定された隣接セルは、２つであって、それぞれセルＢとセルＣである。この２つのセルは、いずれも異なる周波数のセルである。
【００５０】
ステップ１０４において、ＵＥは、ネットワーク側の構成に応じてＩＤＬＥ状態測定を行う。
【００５１】
ＵＥは、ｅＮＢにより構成された測定情報に応じて測定し、測定された後に各セルの基準信号受信電力または基準信号受信品質を取得し、上記のパラメータが、ＵＥがセル再選択を行うプロセスに不可欠なものである。
【００５２】
本実施形態において、ＵＥは、セルを測定し、測定されたシステムメッセージから、セルＢがスモールデータ処理能力の最適化をサポートし、セルＣがスモールデータ処理能力の最適化をサポートしないことを知る。この場合にセルＢのセル選択品質が２ｄＢであり、セルＣのセル選択品質が５ｄＢであり、セルＡのセル選択品質が１ｄＢであり、且つセルＢとセルＣのセル再選択優先順位がそれぞれ４、６であり、いずれもセルＡより低い。
【００５３】
ステップ１０５において、ＵＥは、測定結果が優先順位の低いセルを再選択する閾値条件を満たすかどうかを判定する。
【００５４】
この実施形態において、セルＢとセルＣのセル再選択レベルがいずれもセルＡより低いので、ＵＥは、最適化されたセル再選択ルールに準拠して、測定結果がセル再選択条件を満たすかどうかを判定する。
【００５５】
セルＡは以下を満たす：セル選択品質（１ｄＢ）＋サービスセルスモールデータ処理能力因子（１ｄＢ）<サービスセルのセル選択品質閾値（３ｄＢ）。
【００５６】
セルＢは以下を満たす：セル選択品質（２ｄＢ）＋再選択優先順位の低いスモールデータ処理能力因子（１ｄＢ）<優先順位の低いセルを再選択するセル選択品質閾値（４ｄＢ）。
【００５７】
セルＣは以下を満たす：セル選択品質（５ｄＢ）>優先順位の低いセルを再選択するセル選択品質閾値（４ｄＢ）。
【００５８】
ステップ１０６において、連続したＴ時間内にいずれも優先順位の低いセルを再選択する閾値条件を満たすかどうかを判定する。
【００５９】
この実施形態において、時間Ｔが２ｓであり、連続した２ｓで、セルＣに取得された再選択結果がいずれも優先順位の低いセルを再選択する閾値条件を満たす。
【００６０】
ステップ１０７において、優先順位の低いセル再選択条件を満たし且つスモールデータ処理能力の最適化をサポートしないセルを再選択する。
【００６１】
ＵＥがセルＡに常駐する時間が３ｓであって、サービスセルに少なくとも１ｓ常駐する再選択閾値を超えるので、ＵＥは、セルＣを再選択することを決定する。ＵＥがセルＣに常駐した場合、セルＣがスモールデータ処理能力の最適化をサポートしないので、ＵＥは、セルＣの優先順位が最も低く、０であると考える。
【００６２】
図２は、ＵＥが、常駐しているスモールデータ処理能力の最適化をサポートするセルから周波数優先順位の低く且つ同様にスモールデータ処理能力の最適化をサポートするセルを再選択するフローチャートであり、以下のステップを含む。
【００６３】
ステップ２０１において、スモールデータ特性を有するＵＥは、正常に現在のセルに常駐する。
【００６４】
ＵＥは、セル選択またはセル再選択プロセスを通じた後、正常に現在のセルに常駐する。ＵＥは、正常に常駐するセルで、システムメッセージを受信し、および無線リソース制御接続確立プロセスなどを開始することができる。本実施形態において、ＵＥは、スモールデータ属性を有するように構成され、現在のセルは、セルＡである。
【００６５】
ステップ２０２において、ＵＥは、常駐するセルでシステムメッセージを取得することにより、セル再選択関連情報を取得する。
【００６６】
ｅＮＢは、セル再選択情報が含まれているシステムメッセージまたはＲＲＣシグナリングを使用し、セル再選択プロセスに関連するパラメータをＵＥに伝送することができる。ｅＮＢは、当該メッセージに、セルがスモールデータ処理能力の最適化をサポートするかどうかの情報を含めてＵＥに通知し、ＵＥのためにその後のセル再選択プロセスを行うための支援を提供することもできる。
【００６７】
本実施形態において、ｅＮＢは、次のセル再選択プロセスのために、セル再選択プロセスに関連するパラメータ、およびスモールデータ処理能力の最適化をサポートする情報をシステムメッセージでＵＥへ送信する。セル再選択プロセスにおける関連パラメータは、セル再選択優先順位、セル遅延値および同じ周波数のセル選択受信レベル閾値などのパラメータを含む。当該セルがスモールデータ処理能力の最適化をサポートするので、当該セルの再選択優先順位が最も高く、７であり、優先順位の低いセルを再選択するセル選択品質閾値が４ｄＢであり、サービスセルのセル選択品質閾値が３ｄＢであり、再選択優先順位の低いスモールデータ処理因子とサービスセルスモールデータ処理因子が同じであって、いずれも１ｄＢである。
【００６８】
ステップ２０３において、ＵＥは、ＩＤＬＥ状態測定構成情報が含まれているＲＲＣシグナリングでＩＤＬＥ状態の測定構成を取得する。
【００６９】
ｅＮＢは、測定構成情報が含まれているＲＲＣ接続再構成シグナリングでＩＤＬＥ状態のＵＥに対して測定構成を行う。
【００７０】
この例においてＵＥにより測定された隣接セルは、２つであって、それぞれセルＢとセルＣである。この２つのセルは、いずれも異なる周波数のセルである。
【００７１】
ステップ２０４において、ＵＥは、ネットワーク側の構成に応じてＩＤＬＥ状態測定を行う。
【００７２】
ＵＥは、ｅＮＢにより構成された測定情報に応じて測定し、測定された後に各セルの基準信号受信電力または基準信号受信品質を取得し、上記のパラメータが、ＵＥがセル再選択を行うプロセスに不可欠なものである。
【００７３】
本実施形態において、ＵＥは、セルを測定し、測定されたシステムメッセージから、セルＢがスモールデータ処理能力の最適化をサポートしなく、セルＣがスモールデータ処理能力の最適化をサポートすることを知る。この場合にセルＢのセル選択品質が４ｄＢであり、セルＣのセル選択品質が４ｄＢであり、セルＡのセル選択品質が１ｄＢであり、且つセルＢとセルＣのセル再選択優先順位がそれぞれ４、６であり、いずれもセルＡより低い。
【００７４】
ステップ２０５において、ＵＥは、測定結果が優先順位の低いセルを再選択する閾値条件を満たすかどうかを判定する。
【００７５】
この実施形態において、セルＢとセルＣのセル再選択レベルがいずれもセルＡより低いので、ＵＥは、最適化されたセル再選択ルールに準拠して、測定結果が優先順位の低いセルを再選択するセル再選択条件を満たすかどうかを判定する。
【００７６】
セルＡは以下を満たす：セル選択品質（１ｄＢ）＋サービスセルスモールデータ処理能力因子（１ｄＢ）<サービスセルのセル選択品質閾値（３ｄＢ）。
【００７７】
セルＢは以下を満たす：セル選択品質（４ｄＢ）＋再選択優先順位の低いスモールデータ処理能力因子（１ｄＢ）>優先順位の低いセルを再選択するセル選択品質閾値（４ｄＢ）。
【００７８】
セルＣは以下を満たす：セル選択品質（４ｄＢ）＝優先順位の低いセルを再選択するセル選択品質閾値（４ｄＢ）。
【００７９】
ステップ２０６において、連続したＴ時間内にいずれも優先順位の低いセルを再選択する閾値条件を満たすかどうかを判定する。
【００８０】
この実施形態において、時間Ｔが２ｓであり、連続した２ｓで、セルＣに取得された再選択結果がいずれも優先順位の低いセルを再選択する閾値条件を満たす。
【００８１】
ステップ２０７において、優先順位の低いセル再選択条件を満たし且つスモールデータ処理能力の最適化をサポートするセルを再選択する。
【００８２】
ＵＥがセルＡに常駐する時間が４ｓであって、サービスセルに少なくとも１ｓ常駐する再選択閾値を超えるので、ＵＥは、セルＢを再選択することを決定する。ＵＥがセルＢに常駐した場合、セルＢがスモールデータ処理能力の最適化をサポートするので、ＵＥは、セルＢの優先順位が最も高く、７であると考える。
【００８３】
図３は、ＵＥが、常駐しているスモールデータ処理能力の最適化をサポートしないセルから周波数優先順位の高く且つスモールデータ処理能力の最適化をサポートするセルを再選択するフローチャートであり、以下のステップを含む。
【００８４】
ステップ３０１において、スモールデータ特性を有するＵＥは、正常に現在のセルに常駐する。
【００８５】
ＵＥは、セル選択またはセル再選択プロセスを通じた後、正常に現在のセルに常駐する。ＵＥは、正常に常駐するセルで、システムメッセージを受信し、および無線リソース制御接続確立プロセスなどを開始することができる。本実施形態において、ＵＥは、スモールデータサービスのみをサポートし、現在のセルは、セルＡである。
【００８６】
ステップ３０２において、ＵＥは、常駐するセルでシステムメッセージを取得することにより、セル再選択関連情報を取得する。
【００８７】
ｅＮＢは、セル再選択情報が含まれているシステムメッセージまたはＲＲＣシグナリングを使用し、セル再選択プロセスに関連するパラメータをＵＥに伝送することができる。ｅＮＢは、当該メッセージに、セルがスモールデータ処理能力の最適化をサポートするかどうかの情報を含めてＵＥに通知し、ＵＥのためにその後のセル再選択プロセスを行うための支援を提供することもできる。
【００８８】
本実施形態において、ｅＮＢは、次のセル再選択プロセスのために、セル再選択プロセスに関連するパラメータ、およびスモールデータ処理能力の最適化をサポートする情報をシステムメッセージでＵＥへ送信する。セル再選択プロセスにおける関連パラメータは、セル再選択優先順位、セル遅延値および同じ周波数のセル選択受信レベル閾値などのパラメータを含む。当該セルの再選択優先順位が３であり、当該セルがスモールデータ処理能力の最適化をサポートしないので、当該セルの再選択優先順位が最も低く、０であると考えられる。優先順位の高いセルを再選択するセル選択品質閾値が３ｄＢであり、サービスセルのセル選択品質閾値が３ｄＢであり、再選択優先順位の高いスモールデータ処理因子とサービスセルスモールデータ処理因子が同じであって、いずれも２ｄＢ（当該因子の値の範囲は、０〜３１ｄＢであってよい）である。
【００８９】
ステップ３０３において、ＵＥは、ＩＤＬＥ状態測定構成情報が含まれているＲＲＣシグナリングでＩＤＬＥ状態の測定構成を取得する。
【００９０】
ｅＮＢは、測定構成情報が含まれているＲＲＣ接続再構成シグナリングでＩＤＬＥ状態のＵＥに対して測定構成を行う。
【００９１】
この例においてＵＥにより測定された隣接セルは、２つであって、それぞれセルＢとセルＣである。この２つのセルは、いずれも異なる周波数のセルである。
【００９２】
ステップ３０４において、ＵＥは、ネットワーク側の構成に応じてＩＤＬＥ状態測定を行う。
【００９３】
ＵＥは、ｅＮＢにより構成された測定情報に応じて測定し、測定された後に各セルの基準信号受信電力または基準信号受信品質を取得し、上記のパラメータが、ＵＥがセル再選択を行うプロセスに不可欠なものである。
【００９４】
本実施形態において、ＵＥは、セルを測定し、測定されたシステムメッセージから、セルＢがスモールデータ処理能力の最適化をサポートし、セルＣがスモールデータ処理能力の最適化をサポートしないことを知る。この場合にセルＢのセル選択品質が３ｄＢであり、セルＣのセル選択品質が２ｄＢであり、セルＡのセル選択品質が２ｄＢである。セルＢとセルＣのセル再選択優先順位がそれぞれ４、６であり、いずれもセルＡより高い。
【００９５】
ステップ３０５において、ＵＥは、測定結果が優先順位の高いセルを再選択する閾値条件を満たすかどうかを判定する。
【００９６】
この実施形態において、セルＢとセルＣのセル再選択レベルがいずれもセルＡより高いので、ＵＥは、最適化されたセル再選択ルールに準拠して、測定結果が優先順位の高いセルを再選択するセル再選択条件を満たすかどうかを判定する。
【００９７】
セルＢは以下を満たす：セル選択品質（３ｄＢ）＋再選択優先順位の高いスモールデータ処理能力因子（２ｄＢ）>優先順位の高いセルを再選択するセル選択品質閾値（３ｄＢ）。
【００９８】
セルＣは以下を満たす：セル選択品質（２ｄＢ）<優先順位の高いセルを再選択するセル選択品質閾値（３ｄＢ）。
【００９９】
ステップ３０６において、連続したＴ時間内にいずれも優先順位の高いセルを再選択する閾値条件を満たすかどうかを判定する。
【０１００】
この実施形態において、時間Ｔが２ｓであり、連続した２ｓで、セルＢに取得された再選択結果がいずれも優先順位の高いセルを再選択する閾値条件を満たす。
【０１０１】
ステップ３０７において、優先順位の高いセル再選択条件を満たし、且つスモールデータ処理能力の最適化をサポートするセルを再選択する。
【０１０２】
ＵＥがセルＡに常駐する時間が２ｓであって、サービスセルに少なくとも１ｓ常駐する再選択閾値を超えるので、ＵＥは、セルＢを再選択することを決定する。ＵＥがセルＢに常駐した場合、セルＢがスモールデータ処理能力の最適化をサポートするので、ＵＥは、セルＢの優先順位が最も高く、７であると考える。
【０１０３】
図４は、ＵＥが、常駐しているスモールデータ処理能力の最適化をサポートしないセルから周波数優先順位の高く且つ同様にスモールデータ処理能力の最適化をサポートしないセルを再選択するフローチャートであり、以下のステップを含む。
【０１０４】
ステップ４０１において、スモールデータ特性を有するＵＥは、正常に現在のセルに常駐する。
【０１０５】
ＵＥは、セル選択またはセル再選択プロセスを通じた後、正常に現在のセルに常駐する。ＵＥは、正常に常駐するセルで、システムメッセージを受信し、および無線リソース制御接続確立プロセスなどを開始することができる。本実施形態において、ＵＥは、スモールデータサービスのみをサポートし、現在のセルは、セルＡである。
【０１０６】
ステップ４０２において、ＵＥは、常駐するセルでシステムメッセージを取得することにより、セル再選択関連情報を取得する。
【０１０７】
ｅＮＢは、セル再選択情報が含まれているシステムメッセージまたはＲＲＣシグナリングを使用し、セル再選択プロセスに関連するパラメータをＵＥに伝送することができる。ｅＮＢは、当該メッセージに、セルがスモールデータ処理能力の最適化をサポートするかどうかの情報を含めてＵＥに通知し、ＵＥのためにその後のセル再選択プロセスを行うための支援を提供することもできる。
【０１０８】
本実施形態において、ｅＮＢは、次のセル再選択プロセスのために、セル再選択プロセスに関連するパラメータ、およびスモールデータ処理能力をサポートする情報をシステムメッセージでＵＥへ送信する。セル再選択プロセスにおける関連パラメータは、セル再選択優先順位、セル遅延値および同じ周波数のセル選択受信レベル閾値などのパラメータを含む。当該セルの再選択優先順位が３であり、当該セルがスモールデータ処理能力の最適化をサポートしないので、当該セルの再選択優先順位が最も低く、０であると考えられる。優先順位の高いセルを再選択するセル選択品質閾値が３ｄＢであり、サービスセルのセル選択品質閾値が３ｄＢであり、再選択優先順位の高いスモールデータ処理因子とサービスセルスモールデータ処理因子が同じであって、いずれも１ｄＢ（当該因子の値の範囲は、０〜３１ｄＢであってよい）である。
【０１０９】
ステップ４０３において、ＵＥは、ＩＤＬＥ状態測定構成情報が含まれているＲＲＣシグナリングでＩＤＬＥ状態の測定構成を取得する。
【０１１０】
ｅＮＢは、測定構成情報が含まれているＲＲＣ接続再構成シグナリングでＩＤＬＥ状態のＵＥに対して測定構成を行う。
【０１１１】
この例においてＵＥにより測定された隣接セルは、２つであって、それぞれセルＢとセルＣである。この２つのセルは、いずれも異なる周波数のセルである。
【０１１２】
ステップ４０４において、ＵＥは、ネットワーク側の構成に応じてＩＤＬＥ状態測定を行う。
【０１１３】
ＵＥは、ｅＮＢにより構成された測定情報に応じて測定し、測定された後に各セルの基準信号受信電力または基準信号受信品質を取得し、上記のパラメータが、ＵＥがセル再選択を行うプロセスに不可欠なものである。
【０１１４】
本実施形態において、ＵＥは、セルを測定し、測定されたシステムメッセージから、セルＢがスモールデータ処理能力の最適化をサポートし、セルＣがスモールデータ処理能力の最適化をサポートしないことを知る。この場合にセルＢのセル選択品質が１ｄＢであり、セルＣのセル選択品質が４ｄＢであり、セルＡのセル選択品質が２ｄＢである。セルＢとセルＣのセル再選択優先順位がそれぞれ４、６であり、いずれもセルＡより高い。
【０１１５】
ステップ４０５において、ＵＥは、測定結果が優先順位の高いセルを再選択する閾値条件を満たすかどうかを判定する。
【０１１６】
この実施形態において、セルＢとセルＣのセル再選択レベルがいずれもセルＡより高いので、ＵＥは、最適化されたセル再選択ルールに準拠して、測定結果が優先順位の高いセルを再選択するセル再選択条件を満たすかどうかを判定する。
【０１１７】
セルＢは以下を満たす：セル選択品質（１ｄＢ）＋再選択優先順位の高いスモールデータ処理能力因子（１ｄＢ）<優先順位の高いセルを再選択するセル選択品質閾値（３ｄＢ）。
【０１１８】
セルＣは以下を満たす：セル選択品質（４ｄＢ）>優先順位の高いセルを再選択するセル選択品質閾値（３ｄＢ）。
【０１１９】
ステップ４０６において、連続したＴ時間内にいずれも優先順位の高いセルを再選択する閾値条件を満たすかどうかを判定する。
【０１２０】
この実施形態において、時間Ｔが２ｓであり、連続した２ｓで、セルＣに取得された再選択結果がいずれも優先順位の高いセルを再選択する閾値条件を満たすので、ＵＥは、セルＣを選択することを決定する。
【０１２１】
ステップ４０７において、優先順位の高いセル再選択条件を満たし、且つスモールデータ処理能力の最適化をサポートするセルを再選択する。
【０１２２】
ＵＥがセルＡに常駐する時間が２ｓであって、サービスセルに少なくとも１ｓ常駐する再選択閾値を超えるので、ＵＥは、セルＣを再選択することを決定する。ＵＥがセルＣに常駐した場合、セルＣがスモールデータ処理能力の最適化をサポートしないので、ＵＥは、セルＣの優先順位が最も低く、０であると考える。
【０１２３】
図５はＵＥが、常駐しているスモールデータ処理能力の最適化をサポートしないセルから中心周波数が異なるが、再選択優先順位が同じであり且つスモールデータ処理能力の最適化をサポートするセルを再選択するフローチャートであり、以下のステップを含む。
【０１２４】
ステップ５０１において、スモールデータ特性を有するＵＥは、正常に現在のセルに常駐する。
【０１２５】
ＵＥは、セル選択またはセル再選択プロセスを通じた後、正常に現在のセルに常駐する。ＵＥは、正常に常駐するセルで、システムメッセージを受信し、および無線リソース制御接続確立プロセスなどを開始することができる。本実施形態において、ＵＥは、スモールデータサービスのみをサポートし、現在のセルは、セルＡである。
【０１２６】
ステップ５０２において、ＵＥは、常駐するセルでシステムメッセージとＲＲＣメッセージを取得することにより、セル再選択関連情報を取得する。
【０１２７】
ｅＮＢは、セル再選択情報が含まれているシステムメッセージまたは／およびＲＲＣシグナリングを使用し、セル再選択プロセスに関連するパラメータをＵＥに伝送することができる。ｅＮＢは、当該メッセージに、セルがスモールデータ処理能力の最適化をサポートするかどうかの情報を含めてＵＥに通知し、ＵＥのためにその後のセル再選択プロセスを行うための支援を提供することもできる。
【０１２８】
本実施形態において、ｅＮＢは、次のセル再選択プロセスのために、セル再選択プロセスに関連するパラメータをシステムメッセージでＵＥへ送信し、セルがスモールデータ処理能力の最適化をサポートする情報をＵＥへＲＲＣシグナリングで送信する。セル再選択プロセスにおける関連パラメータは、セル再選択優先順位、セル遅延値および同じ周波数のセル選択受信レベル閾値などのパラメータを含む。当該セルの再選択優先順位が３であり、当該セルがスモールデータ処理能力の最適化をサポートしないので、当該セルの再選択優先順位が最も低く、０であると考えられる。セル遅延値が１ｄＢであり、周波数が異なるが、再選択優先順位が同じであるスモールデータ処理能力因子が１ｄＢ（当該因子の値の範囲が０〜３１ｄＢ）であり、セル間のオフセット量が０ｄＢである。
【０１２９】
ステップ５０３において、ＵＥは、ＩＤＬＥ状態測定構成情報が含まれているＲＲＣシグナリングでＩＤＬＥ状態の測定構成を取得する。
【０１３０】
ｅＮＢは、測定構成情報が含まれているＲＲＣ接続再構成シグナリングでＩＤＬＥ状態のＵＥに対して測定構成を行う。
【０１３１】
この例においてＵＥにより測定された隣接セルは、２つであって、それぞれセルＢとセルＣである。この２つのセルは、いずれも異なる周波数のセルである。
【０１３２】
ステップ５０４において、ＵＥは、ネットワーク側の構成に応じてＩＤＬＥ状態測定を行う。
【０１３３】
ＵＥは、ｅＮＢにより構成された測定情報に応じて測定し、測定された後に各セルの基準信号受信電力または基準信号受信品質を取得し、上記のパラメータが、ＵＥがセル再選択を行うプロセスに不可欠なものである。
【０１３４】
本実施形態において、ＵＥは、セルを測定し、測定されたシステムメッセージから、セルＢがスモールデータ処理能力の最適化をサポートし、セルＣがスモールデータ処理能力の最適化をサポートしないことを知る。この場合にセルＢのセル選択品質が３ｄＢであり、セルＣのセル選択品質が３ｄＢであり、セルＡのセル選択品質が２ｄＢである。セルＢとセルＣのセル再選択優先順位がいずれも０であり、セルＡと同じである。
【０１３５】
ステップ５０５において、ＵＥは、測定結果が同じ優先順位のセルのセル配列レベル条件を満たすかどうかを判定する。
【０１３６】
この実施形態において、セルＢとセルＣのセル再選択レベルがいずれもセルＡと同じであるので、ＵＥは、最適化されたセル再選択ルールに準拠して、測定結果が同じ優先順位のセルのセル配列レベル条件を満たすかどうかを判定する。
【０１３７】
セルＡは以下を満たす：サービスセルレベル＝セル選択品質（１ｄＢ）＋セル遅延値（１ｄＢ）＝２ｄＢ。
【０１３８】
セルＢは以下を満たす：隣接セルレベル＝セル選択品質(３ｄＢ)＋周波数が異なるが再選択優先順位が同じであるスモールデータ処理因子（１ｄＢ）＝４ｄＢ。
【０１３９】
セルＣは以下を満たす：隣接セルレベル＝セル選択品質(３ｄＢ)。
【０１４０】
セルＢの隣接セルレベル>セルＣの隣接セルレベル>セルＡのサービスセルレベル。
【０１４１】
ステップ５０６において、連続したＴ時間内にいずれも同じ優先順位のセルのセル配列レベル条件を満たすかどうかを判定する。
【０１４２】
この実施形態において、時間Ｔが２ｓであり、連続した２ｓで、セルＢに取得されたセル配列レベルがいずれもセルＣとセルＡより高い。
【０１４３】
ステップ５０７において、同じ優先順位のセル再選択条件を満たし且つスモールデータ処理能力の最適化をサポートするセルを再選択する。
【０１４４】
ＵＥがセルＡに常駐する時間が２ｓであって、サービスセルに少なくとも１ｓ常駐する再選択閾値を超えるので、ＵＥは、セルＢを再選択することを決定する。ＵＥがセルＢに常駐した場合、セルＢがスモールデータ処理能力の最適化をサポートするので、ＵＥは、セルＢの優先順位が最も高く、７であると考える。
【０１４５】
図６はＵＥが、常駐しているスモールデータ処理能力の最適化をサポートしないセルから中心周波数が同じであり且つスモールデータ処理能力の最適化をサポートするセルを再選択するフローチャートであり、ステップを含む。
【０１４６】
ステップ６０１において、スモールデータ特性を有するＵＥは、正常に現在のセルに常駐する。
【０１４７】
ＵＥは、セル選択またはセル再選択プロセスを通じた後、正常に現在のセルに常駐する。ＵＥは、正常に常駐するセルで、システムメッセージを受信し、およびＲＲＣ接続確立プロセスなどを開始することができる。本実施形態において、ＵＥは、スモールデータを送信しようとし、現在のセルは、セルＡである。
【０１４８】
ステップ６０２において、ＵＥは、常駐するセルでシステムメッセージを取得することにより、セル再選択関連情報を取得する。
【０１４９】
ｅＮＢは、セル再選択情報が含まれるシステムメッセージまたはＲＲＣシグナリングを使用し、セル再選択プロセスに関連するパラメータをＵＥに伝送することができる。ｅＮＢは、当該メッセージに、セルがスモールデータ処理能力の最適化をサポートするかどうかの情報を含めてＵＥに通知し、ＵＥのためにその後のセル再選択プロセスを行うための支援を提供することもできる。
【０１５０】
本実施形態において、ｅＮＢは、次のセル再選択プロセスのために、セル再選択プロセスに関連するパラメータ、およびスモールデータ処理能力の最適化をサポートする情報をシステムメッセージでＵＥへ送信する。セル再選択プロセスにおける関連パラメータは、セル再選択優先順位、セル遅延値および同じ周波数のセル選択受信レベル閾値などのパラメータを含む。当該セルの再選択優先順位が３であり、当該セルがスモールデータ処理能力の最適化をサポートしないので、当該セルの再選択優先順位が最も低く、０であると考えられる。セル遅延値が１ｄＢであり、同じ周波数のスモールデータ処理能力因子が１ｄＢ（当該因子の値の範囲が０〜３１ｄＢであってよい）であり、セル間のオフセット量が０ｄＢである。
【０１５１】
ステップ６０３において、ＵＥは、ＩＤＬＥ状態測定構成情報が含まれているＲＲＣシグナリングでＩＤＬＥ状態の測定構成を取得する。
【０１５２】
ｅＮＢは、測定構成情報が含まれているＲＲＣ接続再構成シグナリングでＩＤＬＥ状態のＵＥに対して測定構成を行う。
【０１５３】
この例においてＵＥにより測定された隣接セルは、２つであって、それぞれセルＢとセルＣである。この２つのセルは、いずれもセルＡの中心周波数と同じである。
【０１５４】
ステップ６０４において、ＵＥは、ネットワーク側の構成に応じてＩＤＬＥ状態測定を行う。
【０１５５】
ＵＥは、ｅＮＢにより構成された測定情報に応じて測定し、測定された後に各セルの基準信号受信電力または基準信号受信品質を取得し、上記のパラメータが、ＵＥがセル再選択を行うプロセスに不可欠なものである。
【０１５６】
本実施形態において、ＵＥは、セルを測定し、測定されたシステムメッセージから、セルＢがスモールデータ処理能力の最適化をサポートし、セルＣがスモールデータ処理能力の最適化をサポートしないことを知る。この場合にセルＢのセル選択品質が４ｄＢであり、セルＣのセル選択品質が４ｄＢであり、セルＡのセル選択品質が２ｄＢである。セルＢとセルＣのセル再選択優先順位がそれぞれ３と４である。
【０１５７】
ステップ６０５において、ＵＥは、測定結果が同じ中心周波数のセルのセル配列レベル条件を満たすかどうかを判定する。
【０１５８】
ＵＥは、最適化されたセル再選択ルールに準拠して、測定結果がセル再選択条件を満たすかどうかを判定する。
【０１５９】
この実施形態において、セルＢとセルＣがセルＡの中心周波数と同じであるので、同じ周波数のセルのセル再選択方案を使用する。
【０１６０】
セルＡは以下を満たす：サービスセルレベル＝セル選択品質（２ｄＢ）＋セル遅延値（１ｄＢ）＝３ｄＢ。
【０１６１】
セルＢは以下を満たす：隣接セルレベル＝セル選択品質(４ｄＢ)＋同じ周波数のスモールデータ処理因子（１ｄＢ）＝５ｄＢ。
【０１６２】
セルＣは以下を満たす：隣接セルレベル＝セル選択品質(４ｄＢ)。
【０１６３】
セルＢの隣接セルレベル>セルＣの隣接セルレベル>セルＡのサービスセルレベル。
【０１６４】
ＵＥが連続したＴ時間内に測定して取得した結果は、いずれも上記の結果と同じである。本実施形態においてＴが６００ｍｓである。
【０１６５】
ステップ６０６において、連続したＴ時間内にいずれも同じ優先順位のセルのセル配列レベル条件を満たすかどうかを判定する。
【０１６６】
この実施形態において、時間Ｔが２ｓであり、連続した２ｓで、セルＢに取得されたセル配列レベルがいずれもセルＣとセルＡより高い。
【０１６７】
ステップ６０７において、同じ中心周波数のセル再選択条件を満たし且つスモールデータ処理能力の最適化をサポートするセルを再選択する。
【０１６８】
ＵＥがセルＡに常駐する時間が２ｓであって、サービスセルに少なくとも１ｓ常駐する再選択閾値を超えるので、ＵＥは、セルＢを再選択することを決定する。ＵＥがセルＢに常駐した場合、セルＢがスモールデータ処理能力の最適化をサポートするので、ＵＥは、セルＢの優先順位が最も高く、７であると考える。
【０１６９】
図７はＵＥが、再選択優先順位の低いセルを再選択する条件を満たすセルからスモールデータ処理能力の最適化をサポートするセルを再選択セルとして選択するフローチャートであり、以下のステップを含む。
【０１７０】
ステップ７０１において、スモールデータ特性を有するＵＥは、正常に現在のセルに常駐する。
【０１７１】
ＵＥは、セル選択またはセル再選択プロセスを通じた後、正常に現在のセルに常駐する。ＵＥは、正常に常駐するセルで、システムメッセージを受信し、およびＲＲＣ接続確立プロセスなどを開始することができる。本実施形態において、ＵＥは、スモールデータを送信しようとし、現在のセルは、セルＡである。
【０１７２】
ステップ７０２において、ＵＥは、常駐するセルでシステムメッセージを取得することにより、セル再選択関連情報を取得する。
【０１７３】
ｅＮＢは、セル再選択情報が含まれているシステムメッセージまたはＲＲＣシグナリングを使用し、セル再選択プロセスに関連するパラメータをＵＥに伝送することができる。ｅＮＢは、当該メッセージに、セルがスモールデータ処理能力の最適化をサポートするかどうかの情報を含めてＵＥに通知し、ＵＥのためにその後のセル再選択プロセスを行うための支援を提供することもできる。
【０１７４】
本実施形態において、ｅＮＢは、次のセル再選択プロセスのために、セル再選択プロセスに関連するパラメータ、およびスモールデータ処理能力の最適化をサポートする情報をシステムメッセージでＵＥへ送信する。セル再選択プロセスにおける関連パラメータは、セル再選択優先順位、セル遅延値および同じ周波数のセル選択受信レベル閾値などのパラメータを含む。セルＡの再選択優先順位が４であり、当該セルがスモールデータ処理能力の最適化をサポートするので、当該セルの再選択優先順位が最も高く、７であると考えられる。低い優先順位のセルを再選択するセル選択品質閾値が４ｄＢであり、サービスセルのセル選択品質閾値が３ｄＢであり、再選択優先順位の低いスモールデータ処理能力因子とサービスセルスモールデータ処理能力因子が同じであり、いずれも１ｄＢである。
【０１７５】
ステップ７０３において、ＵＥは、ＩＤＬＥ状態測定構成情報が含まれているＲＲＣシグナリングでＩＤＬＥ状態の測定構成を取得する。
【０１７６】
ｅＮＢは、測定構成情報が含まれているＲＲＣ接続再構成シグナリングでＩＤＬＥ状態のＵＥに対して測定構成を行う。
【０１７７】
この例においてＵＥにより測定された隣接セルは、２つであって、それぞれセルＢとセルＣである。この２つのセルは、いずれも異なる周波数のセルである。
【０１７８】
ステップ７０４において、ＵＥは、ネットワーク側の構成に応じてＩＤＬＥ状態測定を行う。
【０１７９】
ＵＥは、ｅＮＢにより構成された測定情報に応じて測定し、測定された後に各セルの基準信号受信電力または基準信号受信品質を取得し、上記のパラメータが、ＵＥがセル再選択を行うプロセスに不可欠なものである。
【０１８０】
本実施形態において、ＵＥは、セルを測定し、測定されたシステムメッセージから、セルＢがスモールデータ処理能力の最適化をサポートし、セルＣがスモールデータ処理能力の最適化をサポートしないことを知る。この場合にセルＢのセル選択品質が４ｄＢであり、セルＣのセル選択品質が５ｄＢであり、セルＡのセル選択品質が１ｄＢである。且つ、セルＢとセルＣのセル再選択優先順位がそれぞれ４、６であって、いずれもセルＡより低い。
【０１８１】
ステップ７０５において、ＵＥは、測定結果が優先順位の低いセルを再選択する閾値条件を満たすかどうかを判定する。
【０１８２】
この実施形態において、セルＢとセルＣのセル再選択レベルがいずれもセルＡより低いので、ＵＥは、最適化されたセル再選択ルールに準拠して測定結果がセル再選択条件を満たすかどうかを判定する。
【０１８３】
セルＡは以下を満たす：セル選択品質（１ｄＢ）＋サービスセルスモールデータ処理能力因子（１ｄＢ）<サービスセルのセル選択品質閾値（３ｄＢ）。
【０１８４】
セルＢは以下を満たす：セル選択品質（４ｄＢ）＋再選択優先順位の低いスモールデータ処理能力因子（１ｄＢ）>優先順位の低いセルを再選択するセル選択品質閾値（４ｄＢ）。
【０１８５】
セルＣは以下を満たす：セル選択品質（５ｄＢ）>優先順位の低いセルを再選択するセル選択品質閾値（４ｄＢ）。
【０１８６】
ステップ７０６において、連続した時間Ｔでいずれも優先順位の低いセルを再選択する閾値条件を満たすかどうかを判定する。
【０１８７】
この実施形態において、時間Ｔが２ｓであり、連続した２ｓで、セルＢとセルＣに取得された再選択結果は、いずれも優先順位の低いセルを再選択する閾値条件を満たす。
【０１８８】
ステップ７０７において、優先順位の低いセルを再選択する条件を満たす複数のセルからスモールデータ処理能力の最適化をサポートするセルを再選択セルとして選択する。
【０１８９】
ＵＥがセルＡに常駐する時間が３ｓであって、サービスセルに少なくとも１ｓ常駐する再選択閾値を超える。スモールデータ優先再選択原則を使用し、ＵＥは、再選択優先順位の低いセルを再選択する条件を満たす複数のセルからスモールデータ処理能力の最適化をサポートするセルを優先的に再選択セルとして選択するので、ＵＥは、セルＣを再選択することを決定する。ＵＥがセルＣに常駐した場合、セルＣがスモールデータ処理能力の最適化をサポートしないので、ＵＥは、セルＣの優先順位が最も低く、０であると考える。
【０１９０】
本発明の実施形態に係る移動性最適化方法は、
ネットワーク側が、正常にセルに常駐する、スモールデータ特性を有するＵＥへスモールデータ処理能力因子および／またはネットワークがスモールデータ処理能力の最適化をサポートするかどうかの能力情報が含まれているセル再選択情報を提供することと、
切り替えが実行される場合、スモールデータ特性を有するＵＥのために最適化されたスモールデータ処理能力を有し且つ切り替え条件を満たすターゲット基地局（ｅＮＢ）を優先的に選択し、そして選択されたターゲットｅＮＢへ切り替え要求メッセージを送信することとを含む。
【０１９１】
ここで、前記スモールデータ処理能力因子は、
再選択優先順位の低いスモールデータ処理能力因子、
再選択優先順位の高いスモールデータ処理能力因子、
周波数が異なるが、再選択優先順位が同じであるスモールデータ処理能力因子、
周波数が同じであるスモールデータ処理能力因子、および
サービスセルスモールデータ処理能力因子のうちの一つまたは多様な組み合わせを含む。
【０１９２】
前記セル再選択情報は、システムメッセージと下リンクの無線リソース制御ＲＲＣシグナリングのうちの一つまたはそれらの組み合わせでＵＥに伝送される。
【０１９３】
一つの実施形態では、以下の方式の一つで最適化されたスモール処理能力を有するターゲットｅＮＢを優先的に選択する。すなわち、
切り替え条件を満たすターゲットｅＮＢが複数である場合、スモールデータ処理能力をサポートする複数のｅＮＢが含まれると、そのなかの性能の最もよいｅＮＢおよび／または負荷の最も小さいｅＮＢを優先的にターゲットｅＮＢとして選択すること、
切り替え条件を満たすターゲットｅＮＢが複数である場合、そのなかにスモールデータ処理能力をサポートするｅＮＢが一つだけであると、スモールデータ処理能力の最適化をサポートするｅＮＢを優先的にターゲットｅＮＢとして選択することである。
【０１９４】
前記スモールデータ特性を有するＵＥは、
スモールデータ属性を有するように構成されるＵＥ、
スモールデータサービスのみをサポートするＵＥ、および
スモールデータを受信または送信しているＵＥのうちの一つを含む。
【０１９５】
前記移動性最適化方法に対応して、本発明に係るアクセスネットワーク装置は、
正常にセルに常駐する、スモールデータ特性を有するＵＥへスモールデータ処理能力因子および／またはネットワークがスモールデータ処理能力の最適化をサポートするかどうかの能力情報を含む再選択原則情報が含まれているセル再選択情報を提供するように構成される情報提供モジュールと、
切り替えが実行される場合、スモールデータ特性を有するＵＥのために最適化されたスモールデータ処理能力を有し且つ切り替え条件を満たすターゲットｅＮＢを優先的に選択し、そして選択されたターゲットｅＮＢへ切り替え要求メッセージを送信するように構成されるセル切り替えモジュールとを含む。
【０１９６】
一つの実施形態では、セル切り替えモジュールは、さらに以下の方式の一つで最適化されたスモールデータ処理能力を有するターゲットｅＮＢを優先的に選択するように構成される。すなわち、
切り替え条件を満たすターゲットｅＮＢが複数である場合、スモールデータ処理能力の最適化をサポートする複数のｅＮＢが含まれると、そのなかの性能の最もよいｅＮＢおよび／または負荷の最も小さいｅＮＢをターゲットｅＮＢとして選択すること、
切り替え条件を満たすターゲットｅＮＢが複数である場合、そのなかにスモールデータ処理能力の最適化をサポートするｅＮＢが１つだけであると、スモールデータ処理能力の最適化をサポートするｅＮＢをターゲットｅＮＢとして優先的に選択することである。
【０１９７】
一つの実施形態では、スモールデータ特性を有するＵＥは、
スモールデータ属性を有するように構成されるＵＥ、
スモールデータサービスのみをサポートするＵＥ、および
スモールデータを受信または送信しているＵＥのうちの一つを含む。
【０１９８】
以下、具体的な実施形態を参照して前記移動性最適化方法をさらに詳しく説明する。
図８はＵＥが、スモールデータ処理能力の最適化をサポートしないソースセルから優先的にスモールデータ処理能力の最適化をサポートするターゲットセルに切り替えられるフローチャートであり、以下のステップを含む。
【０１９９】
ステップ８０１において、ソースセルは、ＲＲＣシグナリングを使用してＵＥのために測定を構成する。
【０２００】
この実施形態において、ソースセルは、ＲＲＣ接続再構成メッセージを使用してＵＥのために測定メッセージを構成する。
【０２０１】
ステップ８０２において、ＵＥは、測定結果をソースセルに報告する。
【０２０２】
ＵＥが構成された報告測定条件を満たす場合、ソースｅＮＢへ測定結果を報告する。
【０２０３】
ステップ８０３において、ソースセルは、ＵＥから報告された測定結果に基づいて切り替え判定を行ってターゲットｅＮＢを選択する。
【０２０４】
ＵＥから報告された測定結果が切り替え条件を満たすので、ソースｅＮＢは、切り替えを実行することを決定する。本実施形態において、ｅＮＢ  Ａ１とｅＮＢ  Ａ２は、いずれもターゲットセルとして切り替えられることができ、ここで、ｅＮＢ  Ａ１がスモールデータ処理能力の最適化をサポートし、ｅＮＢ  Ａ２がスモールデータ処理能力の最適化をサポートしない。最適化されたターゲットセル選択方案に従って、複数のセルがターゲットセルとすることができる場合、スモールデータ処理能力の最適化をサポートするセルを優先的にターゲットセルとして選択し、そのため本実施形態においてｅＮＢ  Ａ１をターゲットセルとして選択する。
【０２０５】
ステップ８０４において、ソースｅＮＢは、ターゲットｅＮＢへ切り替え要求メッセージを送信する。
【０２０６】
ソースｅＮＢは、切り替え要求をターゲットｅＮＢ  Ａ１へ開始し、当該メッセージにはＵＥのＲＲＣコンテキストおよび歴史情報などの情報要素が含まれている。
【０２０７】
ステップ８０５において、ターゲットセルは、ソースセルへ切り替え確認メッセージを返信する。
【０２０８】
ターゲットｅＮＢ  Ａ１は、ソースｅＮＢの切り替え要求を受信した後、アクセス許容制御条件に基づいて当該ＵＥがアクセスできるかどうかを判定する。本実施形態において、ターゲットｅＮＢ  Ａ１は、ＵＥのアクセスを許容し、そしてこのメッセージで専用ランダムアクセスプリアンブルシーケンスおよびターゲットｅＮＢ  Ａ１安全アルゴリズム情報などをＵＥへ送信し、ターゲットｅＮＢ  Ａ１は、ソースｅＮＢへ切り替え要求確認メッセージを送信する。
【０２０９】
図９はＵＥが、スモールデータ処理能力の最適化をサポートするソースセルからスモールデータ処理能力の最適化をサポートしないターゲットセルに切り替えられるフローチャートであり、以下のステップを含む。
【０２１０】
ステップ９０１において、ソースセルは、ＲＲＣシグナリングを使用してＵＥのために測定を構成する。
【０２１１】
本実施形態において、ソースセルは、ＲＲＣ接続再構成メッセージを使用してＵＥのために測定情報を構成する。
【０２１２】
ステップ９０２において、ＵＥは、測定結果をソースセルに報告する。
【０２１３】
ＵＥが、設定された報告測定条件を満たす場合、ソースｅＮＢへ測定結果を報告する。
【０２１４】
ステップ９０３において、ソースセルは、ＵＥから報告された測定結果に基づいて切り替え判定を行ってターゲットｅＮＢを選択する。
【０２１５】
ＵＥから報告された測定結果が切り替え条件を満たすので、ソースｅＮＢは、切り替えを実行することを決定する。本実施形態において、ｅＮＢ  Ａ１は、スモールデータ処理能力をサポートし、ｅＮＢ  Ａ２は、スモールデータ処理能力をサポートしない。ここで、ｅＮＢ  Ａ１は、ソースｅＮＢがターゲットｅＮＢを選択する条件を満たしなく、ｅＮＢ  Ａ２は、ソースｅＮＢがターゲットｅＮＢを選択する条件を満たす。最適化されたターゲットセル選択スキームに従って、本実施形態においてｅＮＢ  Ａ２をターゲットセルとして選択する。
【０２１６】
ステップ９０４において、ソースｅＮＢは、ターゲットｅＮＢへ切り替え要求メッセージを送信する。
【０２１７】
ソースｅＮＢは、切り替え要求をターゲットｅＮＢ  Ａ２へ開始し、当該メッセージにはＵＥのＲＲＣコンテキストおよび歴史情報などの情報要素が含まれている。
【０２１８】
ステップ９０５において、ターゲットセルは、ソースセルへ切り替え確認メッセージを返信する。
【０２１９】
ターゲットｅＮＢ  Ａ２は、ソースｅＮＢの切り替え要求を受信した後、アクセス許容制御条件に基づいて当該ＵＥがアクセスできるかどうかを判定する。この例においてターゲットｅＮＢ  Ａ２は、ＵＥのアクセスを許容し、そしてこのメッセージで専用ランダムアクセスプリアンブルシーケンスおよびターゲットｅＮＢ  Ａ１安全アルゴリズム情報などをＵＥへ送信し、ターゲットｅＮＢ  Ａ２は、ソースｅＮＢへ切り替え要求確認メッセージを送信する。
【０２２０】
上記は、本発明の好ましい実施形態に過ぎなく、本発明の保護範囲を制限することに用いられるものではない。
【図１】
2016517231.tif 000003
【図２】
2016517231.tif 000004
【図３】
2016517231.tif 000005
【図４】
2016517231.tif 000006
【図５】
2016517231.tif 000007
【図６】
2016517231.tif 000008
【図７】
2016517231.tif 000009
【図８】
2016517231.tif 000010
【図９】
2016517231.tif 000011
【国際調査報告】
2016517231.tif 000012
2016517231.tif 000013
2016517231.tif 000014
2016517231.tif 000015